(57)【特許請求の範囲】
【請求項１】
ユーザ装置ＵＥが、基地局からの高層シグナリングにより送信された前記基地局が前記ＵＥに配置した複数グループのリソース指示情報を受信することと、
前記ＵＥが前記基地局から送信されたサブフレームを受信し、前記サブフレームにおける下り承認指示情報を取得することと、
前記ＵＥが前記複数グループのリソース指示情報から前記下り承認指示情報に整合するリソース指示情報であって、干渉があるリソース位置を指示する、或いは、前記リソース位置に対応する干渉情報と前記リソース位置とを指示する前記リソース指示情報を選択することと、
前記ＵＥは、前記リソース位置にて前記ＵＥに送信した下りデータに対して干渉処理を行うことと、を含み、
前記リソース指示情報が干渉があるリソース位置を指示する場合、前記ＵＥが、前記リソース位置で前記ＵＥに送信した下りデータに対して干渉処理を行うことは、前記ＵＥが、リソース位置で前記下りデータを受信することを禁止する、或いは、前記ＵＥが、前記リソース位置に対応するリソースにて前記基地局がデータをマッピングしないことを承知する、或いは、前記ＵＥが、前記リソース位置に対応するリソースにて前記基地局がデータをマッピングしないことを承知してから、前記リソース位置でレートマッチングをすることを含み、前記データをマッピングしないことは物理下り共有チャネルデータをマッピングしないことを含み、
前記リソース指示情報が前記リソース位置に対応する干渉情報及び前記リソース位置を指示する場合、前記ＵＥが前記リソース位置で前記ＵＥに送信した下りデータに対して干渉処理を行うことは、前記ＵＥが前記リソース位置で前記下りデータを受信することと、前記ＵＥが前記リソース位置に対応する干渉情報により、前記下りデータに対して干渉相殺を行うこととを含む下りデータの干渉処理方法。
【請求項２】
請求項１に記載の方法であって、前記下り承認指示情報は、
アンテナポート指示情報、無効送信ブロックの新しいデータ指示情報、スクランブルシーケンス指示情報、下り承認制御情報の集団レベル、下り承認制御情報の初期制御チャネル手段ＣＣＥの位置、プリセットしたビット、下り承認制御情報のあるサブフレームのサブフレーム番号、下り承認制御情報のあるシステムフレームのシステムフレーム番号の少なくとも１つを含む。
【請求項３】
請求項２に記載の方法であって、
ユーザ装置ＵＥが基地局からの、高層シグナリングを介し送信された前記基地局によって前記ＵＥに配置した複数グループのリソース指示情報を受信することは、前記ＵＥが、前記基地局によって、ユーザ専用高層シグナリングを介して、前記ＵＥに配置した複数グループの前記リソース指示情報を受信することを含み、
前記ＵＥが前記基地局から送信したサブフレームを受信することは、前記ＵＥが、前記サブフレームにおける物理下り制御チャネルＰＤＣＣＨ領域又は拡張物理下り制御チャネルＥＰＤＣＣＨ領域にて前記基地局によって携帯された、前記サブフレームには前記ＵＥに対応する下りデータがあることを指示する下り承認情報を受信することを含む。
【請求項４】
請求項３に記載の方法であって、前記ＵＥが前記サブフレームにおける下り承認指示情報を取得することは、
前記ＵＥが前記サブフレームに対してブラインド検出をして、前記下り承認情報を解析することと、
前記下り承認情報により指示された、前記ＵＥに対応する下りデータに対してブラインド検出をして前記下り承認指示情報を取得することとを含む。
【請求項５】
請求項１に記載の方法であって、前記リソース位置は、
物理下り共有チャネルＰＤＳＣＨの時間領域ＯＦＤＭシンボルの初期位置、リソース位置に対応するマルチキャストブロードキャスト単一周波数ネットワークＭＢＳＦＮサブフレーム配置情報、セル固有参照信号ＣＲＳ配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含む。
【請求項６】
請求項１に記載の方法であって、前記リソース位置に対応する干渉情報及び前記リソース位置は、
セル固有参照信号ＣＲＳ配置情報、ゼロパワーＣＳＩ−ＲＳ配置情報、或いは非ゼロパワーＣＳＩ−ＲＳの配置情報、物理下り共有チャネルＰＤＳＣＨの初期位置、リソース位置に対応するマルチキャストブロードキャスト単一周波数ネットワークＭＢＳＦＮサブフレーム配置情報の中の少なくとも１つを含む。
【請求項７】
請求項５又は６に記載の方法であって、
前記ＣＲＳ配置情報は、ＣＲＳのポート数、ＣＲＳに対応するセルアイデンティティ、ＣＲＳの送信パワーの少なくとも１つを含み、
前記ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、
前記非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含む。
【請求項８】
基地局が高層シグナリングを介し基地局によりユーザ装置ＵＥに配置した複数グループのリソース指示情報を前記ＵＥに送信することと、
前記基地局が前記ＵＥに下り承認指示情報が携帯される下りサブフレームを送信することと、
前記基地局が前記ＵＥで前記複数グループのリソース指示情報から前記下り承認指示情報に整合するリソース指示情報であって、干渉があるリソース位置を指示する、或いは、前記リソース位置に対応する干渉情報と前記リソース位置とを指示する前記リソース指示情報を選択してから、前記ＵＥに前記リソース指示情報により下りデータに対して干渉処理をするように指示することとを含み、
前記リソース指示情報が干渉があるリソース位置を指示する場合、前記基地局が前記ＵＥに前記リソース指示情報により下りデータに対して干渉処理を行うように指示することは、前記基地局が前記ＵＥに前記リソース位置で前記下りデータを受信することを禁止するように指示する、或いは、前記基地局が前記リソース位置に対応するリソースにて前記基地局がデータをマッピングしないことを前記ＵＥに通知する、或いは、前記基地局が前記リソース位置に対応するリソースにて基地局がデータをマッピングしないことを前記ＵＥに通知してから、前記リソース位置でレートマッチングをするように指示することを含み、前記データをマッピングしないことは物理下り共有チャネルデータをマッピングしないことを含み、
前記リソース指示情報が前記リソース位置に対応する干渉情報及び前記リソース位置を指示する場合、前記基地局が前記リソース位置で前記ＵＥに送信した下りデータに対して干渉処理を行うように前記ＵＥに指示することは、前記基地局が前記リソース位置で前記下りデータを受信するように前記ＵＥに指示することと、前記基地局が前記リソース位置に対応する干渉情報により、前記下りデータに対して干渉相殺を行うように前記ＵＥに指示することとを含む下りデータ処理の指示方法。
【請求項９】
請求項８に記載の方法であって、前記下り承認指示情報は、
アンテナポート指示情報、無効伝送ブロックの新しいデータ指示情報、スクランブルシーケンス指示情報、下り承認制御情報の集団レベル、下り承認制御情報の初期制御チャネル手段ＣＣＥの位置、プリセットしたビット、下り承認制御情報のあるサブフレームのサブフレーム番号、下り承認制御情報のあるシステムフレームのシステムフレーム番号の少なくとも１つを含む。
【請求項１０】
請求項９に記載の方法であって、
基地局が高層シグナリングを介し前記基地局によって前記ＵＥに配置した複数グループのリソース指示情報をユーザ装置ＵＥに送信することは、
前記基地局が前記ＵＥにユーザ専用高層シグナリングを介して前記ＵＥに配置した前記複数グループのリソース指示情報を送信することを含み、
前記基地局が前記ＵＥに下り承認指示情報が携帯される下りサブフレームを送信することは、前記基地局が前記サブフレームにおける物理下り制御チャネルＰＤＣＣＨ領域又は拡張物理下り制御チャネルＥＰＤＣＣＨ領域にて、前記サブフレームに前記ＵＥに対応する下りデータがあることを指示する下り承認情報を携帯し、前記サブフレームを前記ＵＥに送信することを含む。
【請求項１１】
請求項８に記載の方法であって、前記リソース位置は、
物理下り共有チャネルＰＤＳＣＨの時間領域ＯＦＤＭシンボルの初期位置、リソース位置に対応するマルチキャストブロードキャスト単一周波数ネットワークＭＢＳＦＮサブフレーム配置情報、セル固有参照信号ＣＲＳ配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含む。
【請求項１２】
請求項８に記載の方法であって、前記リソース位置に対応する干渉情報及び前記リソース位置は、
セル固有参照信号ＣＲＳ配置情報、ゼロパワーチャネル状態情報基準信号ＣＳＩ−ＲＳ配置情報、非ゼロパワーＣＳＩ−ＲＳの配置情報、物理下り共有チャネルＰＤＳＣＨの時間領域ＯＦＤＭシンボルの初期位置、リソース位置に対応するマルチキャストブロードキャスト単一周波数ネットワークＭＢＳＦＮサブフレーム配置情報の中の少なくとも１つを含む信道。
【請求項１３】
請求項１１又は１２に記載の方法であって、前記ＣＲＳ配置情報は、ＣＲＳのポート数、ＣＲＳに対応するセルアイデンティティ、ＣＲＳの送信パワーの少なくとも１つを含み、
前記ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、
前記非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含む。
【請求項１４】
ユーザ装置ＵＥにある下りデータ処理装置であって、
基地局により高層シグナリングを介し送信された前記基地局がユーザ装置ＵＥに配置した複数グループのリソース指示情報を受信するように設置された受信モジュールと、
前記基地局から送信されたサブフレームを受信し、前記サブフレームにおける下り承認指示情報を取得するように設置された取得モジュールと、
前記複数グループのリソース指示情報から前記下り承認指示情報に整合するリソース指示情報であって、干渉があるリソース位置を指示する、或いは、前記リソース位置に対応する干渉情報と前記リソース位置とを指示する前記リソース指示情報を選択するように設置された選択モジュールと、
前記リソース位置で前記ＵＥに送信した下りデータに対して干渉処理をする処理モジュールと、を含み、
前記リソース指示情報が干渉があるリソース位置を指示する場合、前記処理モジュールが、前記リソース位置で前記下りデータを受信することを禁止すること、或いは、前記処理モジュールが、前記リソース位置に対応するリソースにて前記基地局がデータをマッピングしないことを承知する、或いは、前記処理モジュールが、前記リソース位置に対応するリソースにて前記基地局がデータをマッピングしないことを承知してから、前記リソース位置でレートマッチングをすることを含み、前記データをマッピングしないことは物理下り共有チャネルデータをマッピングしないことを含み、
前記リソース指示情報が前記リソース位置に対応する干渉情報及び前記リソース位置を指示する場合、前記処理モジュールが前記リソース位置で前記下りデータを受信し、前記リソース位置に対応する干渉情報により、前記下りデータに対して干渉相殺を行う下りデータ処理装置。
【請求項１５】
請求項１４に記載の装置であって、前記下り承認指示情報は、
アンテナポート指示情報、無効送信ブロックの新しいデータ指示情報、スクランブルシーケンス指示情報、下り承認制御情報の集団レベル、下り承認制御情報の初期制御チャネル手段ＣＣＥの位置、プリセットしたビットの少なくとも１つを含む。
【請求項１６】
請求項１５に記載の装置であって、前記取得モジュールは、
前記サブフレームに対してブラインド検出をして、前記下り承認情報を解析するように設置された解析手段と、
前記下り承認情報指示の、前記ＵＥに対応する前記下りデータに対してブラインド検出をして前記下り承認指示情報を取得するように設置された取得手段とを含む。
【請求項１７】
請求項１４に記載の装置であって、前記リソース位置は、
物理下り共有チャネルＰＤＳＣＨの時間領域ＯＦＤＭシンボルの初期位置、リソース位置に対応するマルチキャストブロードキャスト単一周波数ネットワークＭＢＳＦＮサブフレーム配置情報、セル固有参照信号ＣＲＳ配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含む。
【請求項１８】
請求項１４に記載の装置であって、前記リソース位置に対応する干渉情報及び前記リソース位置は、
干渉相殺を行うべきリソース要素の位置情報、セル固有参照信号ＣＲＳ配置情報、ゼロパワーチャネル状態情報基準信号ＣＳＩ−ＲＳ配置情報、非ゼロパワーＣＳＩ−ＲＳの配置情報、物理下り共有チャネルＰＤＳＣＨ時間領域ＯＦＤＭシンボルの初期位置、リソース位置に対応するマルチキャストブロードキャスト単一周波数ネットワークＭＢＳＦＮサブフレーム配置情報の中の少なくとも１つを含む。
【請求項１９】
請求項１７又は１８に記載の装置であって、
前記ＣＲＳ配置情報は、ＣＲＳのポート数、ＣＲＳに対応するセルアイデンティティ、ＣＲＳの送信パワーの少なくとも１つを含み、
前記ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、
前記非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含む。
【請求項２０】
基地局にある下りデータ処理の指示装置であって、
ユーザ専用高層シグナリングを介しユーザ装置ＵＥに多種類の前記リソース指示情報を配置するように設置された配置モジュールと、
前記ＵＥに下り承認指示情報が携帯される下りサブフレームを送信するように設置された送信モジュールと、
前記ＵＥで前記複数グループのリソース指示情報から前記下り承認指示情報に整合するリソース指示情報であって、干渉があるリソース位置を指示する、或いは、前記リソース位置に対応する干渉情報と前記リソース位置とを指示するリソース指示情報を選択してから、前記ＵＥに前記リソース指示情報により下りデータに対して干渉処理をするように指示する指示モジュールとを含み、
前記リソース指示情報が干渉があるリソース位置を指示する場合、前記処理モジュールが、前記リソース位置で前記下りデータを受信することを禁止すること、或いは、前記処理モジュールが、前記リソース位置に対応するリソースにて前記基地局がデータをマッピングしないことを承知する、或いは、前記処理モジュールが、前記リソース位置に対応するリソースにて前記基地局がデータをマッピングしないことを承知してから、前記リソース位置でレートマッチングをすることを含み、前記データをマッピングしないことは物理下り共有チャネルデータをマッピングしないことを含み、
前記リソース指示情報が前記リソース位置に対応する干渉情報及び前記リソース位置を指示する場合、前記処理モジュールが前記リソース位置で前記下りデータを受信し、前記リソース位置に対応する干渉情報により、前記下りデータに対して干渉相殺を行う下りデータ処理の指示装置。
【請求項２１】
請求項２０に記載の装置であって、前記下り承認指示情報は、
アンテナポート指示情報、無効送信ブロックの新しいデータ指示情報、スクランブルシーケンス指示情報、下り承認制御情報の集団レベル、下り承認制御情報の初期制御チャネル手段ＣＣＥの位置、プリセットしたビット、下り承認制御情報のあるサブフレームのサブフレーム番号、下り承認制御情報のあるシステムフレームのシステムフレーム番号の少なくとも１つを含む。
【請求項２２】
請求項２１に記載の装置であって、前記送信モジュールは、
サブフレームの物理下り制御チャネルＰＤＣＣＨ領域又は拡張物理下り制御チャネルＥＰＤＣＣＨ領域には、サブフレームにＵＥに対応する下りデータがあることを指示する下り承認情報を携帯し、前記サブフレームを前記ＵＥに送信するように設置された送信手段を含む。
【請求項２３】
請求項２０に記載の装置であって、前記リソース位置は、
物理下り共有チャネルＰＤＳＣＨの時間領域ＯＦＤＭシンボルの初期位置、リソース位置に対応するマルチキャストブロードキャスト単一周波数ネットワークＭＢＳＦＮサブフレーム配置情報、セル固有参照信号ＣＲＳ配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス配置、非ゼロパワーＣＳＩ−ＲＳの周期とサブフレームバイアス配置の中の少なくとも１つを含む。
【請求項２４】
請求項２０に記載の装置であって、前記リソース位置に対応する干渉情報及び前記リソース位置は、
セル固有参照信号ＣＲＳ配置情報、ゼロパワーチャネル状態情報基準信号ＣＳＩ−ＲＳ配置情報、非ゼロパワーＣＳＩ−ＲＳの配置情報、物理下り共有チャネルＰＤＳＣＨの時間領域ＯＦＤＭシンボルの初期位置、リソース位置に対応するマルチキャストブロードキャスト単一周波数ネットワークＭＢＳＦＮサブフレーム配置情報の中の少なくとも１つを含む。
【請求項２５】
請求項２３又は２４に記載の装置であって、
前記ＣＲＳ配置情報は、ＣＲＳのポート数、ＣＲＳに対応するセルアイデンティティ、ＣＲＳの送信パワーの少なくとも１つを含み、
前記ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、
前記非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含む。
【発明の詳細な説明】
【技術分野】
【０００１】
本発明は通信分野に関し、具体的には、下りデータ処理、指示方法及び装置に関するものである。
【背景技術】
【０００２】
ＬＴＥ（Ｌｏｎｇ  Ｔｅｒｍ  Ｅｖｏｌｕｔｉｏｎ、長期的進化）システムは、Ｒ８/９/１０という幾つかのリリースに続き、Ｒ１１リリース技術の研究が逐次に展開されている。現在、Ｒ８リリースの製品の一部が次第にビジネス化され、Ｒ９リリースとＲ１０リリースは製品のこれからの企画が期待されている。
【０００３】
Ｒ８リリースとＲ９リリース段階を経て、Ｒ１０リリースはその上に、ＤＭＲＳ（Ｄｅｍｏｄｕｌａｔｉｏｎ  Ｒｅｆｅｒｅｎｃｅ  Ｓｉｇｎａｌ、基準信号復調）、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、チャネル状態情報基準信号）等のパイロット特性や８アンテナサポート等の伝送とフィードバック特性などの新しい特性が加えられ、特にｅＩＣＩＣ（Ｅｎｈａｎｃｅｄ  Ｉｎｔｅｒ−Ｃｅｌｌ  Ｉｎｔｅｒｆｅｒｅｎｃｅ  Ｃａｎｃｅｌｌｉｎｇ、セル間干渉相殺補強）技術は、Ｒ８/９リリースにおけるＩＣＩＣを考慮した上に、さらにセル間の干渉を回避する技術が考慮に入っている。セル間干渉という課題を解決する技術として、Ｒ１０リリース段階の初期に、主に同型のネットワークのセル干渉回避が考えられ、主要技術としてｅＩＣＩＣ技術とＣｏＭＰ（Ｃｏｏｒｄｉｎａｔｅｄ  Ｍｕｌｔｉ−Pｏｉｎｔ、協調マルチポイント）技術を考慮したが、ＣｏＭＰとは、複数のノードが協調して、一つ或いは複数のＵＥに同一時間周波数リソース或いは異なる時間周波数リソースにおいてデータを送信するものであるので、ＣｏＭＰによりセル間の干渉を減少し、セルエッジのスループット率を向上させ、セルカバレッジを拡大することができる。しかし、検討の後期に異種ネットワークにてより多くの場面が導入される場合、ＣｏＭＰ技術の複雑性、及びＲ１０リリースの検討する時間の制限を考慮した結果、Ｒ１０リリース段階で余分のＣｏＭＰ標準化内容を導入せず、ＣＳＩ−ＲＳを設計する時にＣｏＭＰのニーズを部分的に考えることにしたので、ＣｏＭＰ技術は６０ｂｉｓ会議以降、さらなる検討が行われていない。
【０００４】
ＬＴＥは、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）スケジューリング割り当てと他の制御情報を積載することが定義され、各ＰＤＣＣＨは、若干のＣＣＥ（Ｃｏｎｔｒｏｌ  Ｃｈａｎｎｅｌ  Ｅｌｅｍｅｎｔ、  制御チャネル手段）からなり、各サブフレームのＣＣＥの数はＰＤＣＣＨの数と下り帯域幅によって決定される。
【０００５】
ＵＥ（Ｕｓｅｒ  Ｅｑｕｉｐｍｅｎｔ、ユーザ装置）は検索スペースでブラインド検出を行うことによって、ＰＤＣＣＨが得られる。検索空間は、すべてのＵＥにより検索できる領域である共用検索空間と個別のＵＥにより検索できる空間範囲であるユーザ専用検索空間とに分け、共用検索空間にセル専有情報が含まれ、複数のＵＥのユーザ専用検索空間は重なることがあるが、各ＵＥのユーザ専用検索空間の通常初期検索位置は異なるものである。ＵＥがブラインド検出する前に、通常基地局により高層シグナリングを介しＵＥに採用すべき動作モードとＰＤＣＣＨに用いられるＣＲＣ（Ｃｙｃｌｉｃ  Ｒｅｄｕｎｄａｎｃｙ  Ｃｈｅｃｋ、巡回冗長検査）スクランブリングのＲＮＴＩ（Ｒａｄｉｏ  Ｎｅｔｗｏｒｋ  Ｔｅｍｐｏｒａｒｙ  Ｉｄｅｎｔｉｔｙ、無線ネットワーク一時識別子）のタイプを通知する。
【０００６】
検索空間Ｓk(L)と集団レベルＬ及び候補ＰＤＣＣＨ数Ｍ(L)の間の関係は表１を参照する。集団レベルは即ちＰＤＣＣＨが占用するＣＣＥの数である。ＵＥがユーザ専用検索空間にてブラインド検出をする時、まずＵＥ  ＩＤ（ユーザアイデンティティ）とサブフレーム番号等によりブラインド検出の初期位置Ｙkを算出して、自分に割り当てるＰＤＣＣＨが検出されるまでユーザ専用検索空間で検出をする。
【０００７】
【表１】
0005977368.tif 000002
【０００８】
集団レベルとＰＤＣＣＨの最初の制御チャネル手段のユーザ専用検索空間における相対位置及び対応関係は表２を参照する。ＰＤＣＣＨの最初の制御チャネル手段のユーザ専用検索空間における相対位置とは、ＰＤＣＣＨが占用する最初のＣＣＥのインデックスｎＣＣＥとブラインド検出の初期位置Ｙkとの相対位置（本文にはｎＣＣＥ,ｏｆｆｓｅｔで示す）であり、ｎＣＣＥ,ｏｆｆｓｅｔ=ｎＣＣＥ-Ｙk。表２は、ユーザ専用検索空間において最初になり得るＣＣＥ位置及び対応する集団レベルを示す図である。
【表２】
0005977368.tif 000003
【０００９】
ＬＴＥ技術に関する最新の第６７回会議で検討された下り制御シグナリングについての提案は、ほとんどＣＳＩ−ＲＳシグナリング補強、ＤＭＲＳシグナリング補強、ＣＲＳ（Ｃｅｌｌ−Ｓｐｅｃｉｆｉｃ  Ｒｅｆｅｒｅｎｃｅ  Ｓｉｇｎａｌ、セル固有参照信号）衝突と干渉問題回避補強、ＰＤＳＣＨ初期シンボル整列受信補強、ゼロパワーと非ゼロパワーのＣＳＩ−ＲＳ衝突と干渉回避補強である。その中、ＣＲＳ衝突と干渉問題回避補強、ＰＤＳＣＨ初期シンボル整列受信補強、ゼロパワーと非ゼロパワーのＣＳＩ−ＲＳ衝突と干渉回避補強はいずれもレートマッチングの範囲に属し、干渉回避方法と総称し、具体的には、通知されたシグナリングによりレートマッチング処理或いは干渉圧縮処理をすることができ、その主な原因は、Ｒ１１リリースの新規場面において、特にＳｃｅｎａｒｉｏ１〜３は、異なるノードの有するセルアイデンティティが異なるため、異なるノードのＣＲＳ位置が異なり、異なるノードのシーケンスも異なってくる。この時、異なるノード間でＪＴ（Ｊｏｉｎｔ  Ｔｒａｎｓｍｉｓｓｉｏｎ、共同送信）を行うと、異なるノードのリソースが合併して整列できなくなるが、各セルのＣＲＳ、ＰＤＳＣＨ初期シンボル或いはゼロパワーＣＳＩ−ＲＳの配置により、単独でデータマッピングをすると、Ｍｕｔｉｎｇ（騷音抑制）のリソース位置が異なるためデータ合併の過ちになり、また、主なサービスノードにより合併すると、リソースの無駄になるとともに、他のノードのＣＲＳがデータに対する干渉が導入されることになる。また、ＤＰＳ（Ｄｙｎａｍｉｃ  Ｐｏｉｎｔ  Ｓｅｌｅｃｔｉｏｎ、動的ノード選択）にとって、異なるサブフレームが異なるノードによってＵＥに送信するため、主なサービスノードによりデータを送信すると、同じようにリソースの無駄とＣＲＳによるデータに対する干渉の問題があり、ゼロパワーＣＳＩ−ＲＳで干渉を測定しようとすると、より多くのゼロパワーＣＳＩ−ＲＳを配置する必要があり、一つのノードに配置するゼロパワーＣＳＩ−ＲＳサブフレームのＵＥがゼロパワーＣＳＩ−ＲＳの存在を意識できなければ、このようなＵＥに大きな影響をもたらすことがある。
【００１０】
以上の問題を考えると、異なるノードが一つのＵＥに対する協調送信（ＪＴ、ＣＳ/ＣＢ（Ｃｏｏｒｄｉｎａｔｅｄ  Ｓｃｈｅｄｕｌｉｎｇ/Ｃｏｏｒｄｉｎａｔｅｄ  Ｂｅａｍｆｏｒｍｉｎｇ、共同スケジューリング/共同ビームフォーミング）、及びＤＰＳ（Ｄｙｎａｍｉｃ  Ｐｏｉｎｔ  Ｓｅｌｅｃｔｉｏｎ、動的ノード選択）を含む）を実現するには、異なるノードのＣＲＳ、ＰＤＳＣＨ初期位置の整列しないことや、ＣＳＩ−ＲＳがデータ復調性能に対する影響を回避しなければならない。
【発明の概要】
【発明が解決しようとする課題】
【００１１】
本発明は、少なくとも上記課題を解決するために、下りデータ処理、指示方法及び装置を提供する。
【課題を解決するための手段】
【００１２】
本発明の一つの方面によると、ユーザ装置（ＵＥ）が基地局からの高層シグナリングにより送信された基地局がＵＥに配置した複数グループのリソース指示情報を受信することと、ＵＥが基地局から送信されたサブフレームを受信し、サブフレームにおける下り承認指示情報を取得することと、ＵＥが複数グループのリソース指示情報から下り承認指示情報に整合するリソース指示情報であって、干渉があるリソース位置を指示する、或いはリソース位置に対応する干渉情報とリソース位置とを指示するリソース指示情報を選択することと、ＵＥがリソース位置でＵＥに送信した下りデータに対して干渉処理をすることとを含むデータ処理方法を提供する。
【００１３】
下り承認指示情報は、アンテナポート指示情報、無効送信ブロックの新しいデータ指示情報、スクランブルシーケンス指示情報、下り承認制御情報の集団レベル、下り承認制御情報の初期制御チャネル手段（ＣＣＥ）の位置、プリセットしたビット、下り承認制御情報のあるサブフレームのサブフレーム番号、下り承認制御情報のあるシステムフレームのシステムフレーム番号の少なくとも１つを含むことが好ましい。
【００１４】
ユーザ装置（ＵＥ）が基地局からの、高層シグナリングを介し送信された基地局によってＵＥに配置した複数グループのリソース指示情報を受信することは、ＵＥが基地局によって、ユーザ専用高層シグナリングを介して、ＵＥに配置した複数グループのリソース指示情報を受信することを含み、ＵＥが基地局から送信したサブフレームを受信することは、ＵＥが、サブフレームにおける物理下り制御チャネル（ＰＤＣＣＨ）領域又は拡張物理下り制御チャネル（ＥＰＤＣＣＨ）領域にて基地局によって携帯された、サブフレームにＵＥに対応する下りデータがあることを指示する下り承認情報を受信することを含むことが好ましい。
【００１５】
サブフレームにおける下り承認指示情報を取得することは、ＵＥがサブフレームに対してブラインド検出をして、下り承認情報を解析することと、下り承認情報により指示された、ＵＥに対応する下りデータに対してブラインド検出をして下り承認指示情報を取得することとを含むことが好ましい。
【００１６】
リソース指示情報は、干渉があるリソース位置を指示する場合、ＵＥがリソース位置でＵＥに送信した下りデータに対して干渉処理を行うことは、ＵＥがリソース位置で下りデータを受信することを禁止すること、或いはＵＥが、リソース位置に対応するリソースにて基地局がデータをマッピングしない（データをマッピングしないことは物理下り共有チャネルデータをマッピングしないことを含む）ことを承知する、或いはＵＥが、リソース位置に対応するリソースにて基地局がデータをマッピングしない（データをマッピングしないことは物理下り共有チャネルデータをマッピングしないことを含む）ことを承知してから、リソース位置でレートマッチングをすることを含むことが好ましい。
【００１７】
リソース位置は、物理下り共有チャネル（ＰＤＳＣＨ）の時間領域ＯＦＤＭシンボルの初期位置、リソース位置に対応するマルチキャストブロードキャスト単一周波数ネットワーク（ＭＢＳＦＮ）サブフレーム配置情報、セル固有参照信号（ＣＲＳ）配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含むことが好ましい。
【００１８】
リソース指示情報は、リソース位置に対応する干渉情報及びリソース位置を指示する場合、ＵＥがリソース位置でＵＥに送信した下りデータに対して干渉処理を行うことは、ＵＥがリソース位置で下りデータを受信することと、ＵＥがリソース位置に対応する干渉情報により、下りデータに対して干渉相殺を行うこととを含むことが好ましい。
【００１９】
リソース位置に対応する干渉情報及びリソース位置は、セル固有参照信号（ＣＲＳ）配置情報、ゼロパワーチャネル状態情報基準信号（ＣＳＩ−ＲＳ）配置情報或いは非ゼロパワーＣＳＩ−ＲＳの配置情報、物理下り共有チャネル（ＰＤＳＣＨ）の初期位置、リソース位置に対応するマルチキャストブロードキャスト単一周波数ネットワークＭＢＳＦＮサブフレーム配置情報の中の少なくとも１つを含むことが好ましい。
【００２０】
ＣＲＳ配置情報は、ＣＲＳのポート数、ＣＲＳに対応するセルアイデンティティ、ＣＲＳの送信パワーの少なくとも１つを含み、ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含むことが好ましい。
【００２１】
本発明のもう一つの方面によると、基地局が高層シグナリングを介しユーザ装置（ＵＥ）に、基地局によりＵＥに配置した複数グループのリソース指示情報をユーザ装置ＵＥに送信することと、基地局がＵＥに下り承認指示情報が携帯される下りサブフレームを送信することと、基地局がＵＥで複数グループのリソース指示情報から下り承認指示情報に整合するリソース指示情報であって、干渉があるリソース位置を指示する、或いはリソース位置に対応する干渉情報とリソース位置とを指示するリソース指示情報を選択してから、ＵＥにリソース指示情報により下りデータに対して干渉処理をするように指示することとを含むデータ処理方法を提供する。
【００２２】
下り承認指示情報は、アンテナポート指示情報、無効送信ブロックの新しいデータ指示情報、スクランブルシーケンス指示情報、下り承認制御情報の集団レベル、下り承認制御情報の初期制御チャネル手段（ＣＣＥ）の位置、プリセットしたビット、下り承認制御情報のあるサブフレームのサブフレーム番号、下り承認制御情報のあるシステムフレームのシステムフレーム番号の少なくとも１つを含むことが好ましい。
【００２３】
基地局が高層シグナリングを介し基地局によってＵＥに配置した複数グループのリソース指示情報をユーザ装置ＵＥに送信することは、基地局がＵＥにユーザ専用高層シグナリングを介してＵＥに配置した複数グループのリソース指示情報を送信することを含み、基地局がＵＥに下り承認指示情報が携帯される下りサブフレームを送信することは、基地局がサブフレームにおける物理下り制御チャネル（ＰＤＣＣＨ）領域又は拡張物理下り制御チャネル（ＥＰＤＣＣＨ）領域にて、サブフレームにＵＥに対応する下りデータがあることを指示する下り承認情報を携帯し、サブフレームをＵＥに送信することを含むことが好ましい。
【００２４】
リソース指示情報は、干渉があるリソース位置を指示する場合、基地局がＵＥにリソース指示情報により下りデータに対して干渉処理を行うように指示することは、基地局がＵＥにリソース位置で下りデータを受信することを禁止するように指示すること、或いは基地局がリソース位置に対応するリソースにて基地局がデータをマッピングしない（データをマッピングしないことは物理下り共有チャネルデータをマッピングしないことを含む）ことをＵＥに通知する、或いは基地局がリソース位置に対応するリソースにて基地局がデータをマッピングしない（データをマッピングしないことは物理下り共有チャネルデータをマッピングしないことを含む）ことをＵＥに通知してから、リソース位置でレートマッチングをするように指示する含むことが好ましい。
【００２５】
リソース位置は、物理下り共有チャネル（ＰＤＳＣＨ）の時間領域ＯＦＤＭシンボルの初期位置、リソース位置に対応するマルチキャストブロードキャスト単一周波数ネットワーク（ＭＢＳＦＮ）サブフレーム配置情報、セル固有参照信号（ＣＲＳ）配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含むことが好ましい。
【００２６】
リソース指示情報は、リソース位置に対応する干渉情報及びリソース位置を指示する場合、基地局がリソース位置でＵＥに送信した下りデータに対して干渉処理を行うようにＵＥに指示することは、基地局がリソース位置で下りデータを受信するようにＵＥに指示することと、基地局がリソース位置に対応する干渉情報により、下りデータに対して干渉相殺を行うようにＵＥに指示することとを含むことが好ましい。
【００２７】
リソース位置に対応する干渉情報及びリソース位置は、セル固有参照信号（ＣＲＳ）配置情報、ゼロパワーチャネル状態情報基準信号（ＣＳＩ−ＲＳ）配置情報、非ゼロパワーＣＳＩ−ＲＳの配置情報、物理下り共有チャネルＰＤＳＣＨ時間領域ＯＦＤＭシンボルの初期位置、リソース位置に対応するマルチキャストブロードキャスト単一周波数ネットワークＭＢＳＦＮサブフレーム配置情報の中の少なくとも１つを含むことが好ましい。
【００２８】
ＣＲＳ配置情報は、ＣＲＳのポート数、ＣＲＳに対応するセルアイデンティティ、ＣＲＳの送信パワーの少なくとも１つを含み、ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含むことが好ましい。
【００２９】
本発明のもう一つの方面によると、ユーザ装置（ＵＥ）に位置し、基地局により高層シグナリングを介し送信された基地局がユーザ装置（ＵＥ）に配置した複数グループのリソース指示情報を受信するように設置された受信モジュールと、基地局から送信されたサブフレームを受信し、サブフレームにおける下り承認指示情報を取得するように設置された取得モジュールと、複数グループのリソース指示情報から下り承認指示情報に整合するリソース指示情報であって、干渉があるリソース位置を指示する、或いは、リソース位置に対応する干渉情報とリソース位置とを指示するリソース指示情報を選択するように設置された選択モジュールと、リソース位置でＵＥに送信した下りデータに対して干渉処理をするように設置された処理モジュールとを含むデータ処理装置を提供する。
【００３０】
下り承認指示情報は、アンテナポート指示情報、無効送信ブロックの新しいデータ指示情報、スクランブルシーケンス指示情報、下り承認制御情報の集団レベル、下り承認制御情報の初期制御チャネル手段（ＣＣＥ）の位置、プリセットしたビット少なくとも１つを含むことが好ましい。
【００３１】
取得モジュールは、サブフレームに対してブラインド検出をして、下り承認情報を解析するように設置された解析手段と、下り承認情報により指示された、ＵＥに対応する下りデータに対してブラインド検出をして下り承認指示情報を取得するように設置された取得手段とを含むことが好ましい。
【００３２】
リソース指示情報は、干渉があるリソース位置を指示する場合、処理モジュールがリソース位置で下りデータを受信することを禁止すること、或いは処理モジュールが、リソース位置に対応するリソースにて基地局がデータをマッピングしない（データをマッピングしないことは物理下り共有チャネルデータをマッピングしないことを含む）ことを承知する、或いは処理モジュールが、リソース位置に対応するリソースにて基地局がデータをマッピングしない（データをマッピングしないことは物理下り共有チャネルデータをマッピングしないことを含む）ことを承知してから、リソース位置でレートマッチングをすることを含むことが好ましい。
【００３３】
リソース位置は、物理下り共有チャネル（ＰＤＳＣＨ）の時間領域ＯＦＤＭシンボルの初期位置、リソース位置に対応するマルチキャストブロードキャスト単一周波数ネットワーク（ＭＢＳＦＮ）サブフレーム配置情報、セル固有参照信号（ＣＲＳ）配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含むことが好ましい。
【００３４】
リソース指示情報は、リソース位置に対応する干渉情報及びリソース位置を指示する場合、処理モジュールはリソース位置で下りデータを受信し、リソース位置に対応する干渉情報により下りデータに対して干渉相殺を行うことが好ましい。
【００３５】
リソース位置に対応する干渉情報及びリソース位置は、干渉相殺を行うべきリソース要素の位置情報、セル固有参照信号（ＣＲＳ）配置情報、ゼロパワーチャネル状態情報基準信号（ＣＳＩ−ＲＳ）配置情報、非ゼロパワーＣＳＩ−ＲＳの配置情報、物理下り共有チャネルＰＤＳＣＨ時間領域ＯＦＤＭシンボルの初期位置、リソース位置に対応するマルチキャストブロードキャスト単一周波数ネットワークＭＢＳＦＮサブフレーム配置情報の中の少なくとも１つを含むことが好ましい。
【００３６】
ＣＲＳ配置情報は、ＣＲＳのポート数、ＣＲＳに対応するセルアイデンティティ、ＣＲＳの送信パワーの少なくとも１つを含み、ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含むことが好ましい。
【００３７】
本発明のもう一つの方面によると、基地局に位置し、ユーザ専用高層シグナリングを介しユーザ装置（ＵＥ）に多種類のリソース指示情報を配置するように設置された配置モジュールと、ＵＥに下り承認指示情報が携帯される下りサブフレームを送信するように設置された送信モジュールと、ＵＥで複数グループのリソース指示情報から下り承認指示情報に整合するリソース指示情報であって、干渉があるリソース位置を指示する、或いは、リソース位置に対応する干渉情報とリソース位置とを指示するリソース指示情報を選択してから、ＵＥにリソース指示情報により下りデータに対して干渉処理をするように指示する指示情報とを含むデータ処理装置を提供する。
【００３８】
下り承認指示情報は、アンテナポート指示情報、無効送信ブロックの新しいデータ指示情報、スクランブルシーケンス指示情報、下り承認制御情報の集団レベル、下り承認制御情報の初期制御チャネル手段（ＣＣＥ）の位置、プリセットしたビット、下り承認制御情報のあるサブフレームのサブフレーム番号、下り承認制御情報のあるシステムフレームのシステムフレーム番号の少なくとも１つを含む。
【００３９】
送信モジュールは、サブフレームの物理下り制御チャネル（ＰＤＣＣＨ）領域又は拡張物理下り制御チャネル（ＥＰＤＣＣＨ）領域には、サブフレームにＵＥに対応する下りデータがあることを指示する下り承認情報を携帯し、サブフレームをＵＥに送信するように設置された送信手段を含むことが好ましい。
【００４０】
リソース位置は、物理下り共有チャネル（ＰＤＳＣＨ）の時間領域ＯＦＤＭシンボルの初期位置、リソース位置に対応するマルチキャストブロードキャスト単一周波数ネットワーク（ＭＢＳＦＮ）サブフレーム配置情報、セル固有参照信号（ＣＲＳ）配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含むことが好ましい。
【００４１】
リソース位置に対応する干渉情報及びリソース位置は、セル固有参照信号（ＣＲＳ）配置情報、ゼロパワーチャネル状態情報基準信号（ＣＳＩ−ＲＳ）配置情報、非ゼロパワーＣＳＩ−ＲＳの配置情報、物理下り共有チャネル（ＰＤＳＣＨ）時間領域ＯＦＤＭシンボルの初期位置、リソース位置に対応するマルチキャストブロードキャスト単一周波数ネットワーク（ＭＢＳＦＮ）サブフレーム配置情報の中の少なくとも１つを含むことが好ましい。
【００４２】
ＣＲＳ配置情報は、ＣＲＳのポート数、ＣＲＳに対応するセルアイデンティティ、ＣＲＳの送信パワーの少なくとも１つを含み、ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、非ゼロパワーＣＳＩ−ＲＳ配置情報は、非ゼロパワーＣＳＩ−ＲＳのポート数、非ゼロパワーＣＳＩ−ＲＳのリソース位置、及び非ゼロパワーＣＳＩ−ＲＳの周期とサブフレームバイアスの少なくとも１つを含むことが好ましい。
【発明の効果】
【００４３】
本発明によると、ＵＥが受信したサブフレームにおける下り承認制御情報に基づき、ＵＥに送信した下りデータに対して干渉回避或いは干渉相殺を行う方式により、異なるノードのＣＲＳ、ＰＤＳＣＨ初期位置が整列しないこと、及びＣＳＩ−ＲＳのデータ復調性能に対する影響の問題が解決され、異なるノード間で一つのＵＥに対する協調送信（共同送信、共同スケジューリング、共同ビームフォーミング、動的ノード選択を含む）が実現され、リソースの無駄が減少し、制御ドメイン或いはパイロットのデータ復調に対する干渉が回避される効果を達成できる。
【図面の簡単な説明】
【００４４】
以下に記載の図面は、本発明をさらに理解するために提供され、本願の一部を構成し、本発明の好適の実施例及びその説明は本発明を解釈するものであり、本発明を限定するものではない。
【００４５】
【図１】図１は本発明の実施例に係わる下りデータ処理方法を示すフローチャート図である。
【図２】図２は本発明の実施例に係わる下りデータ処理指示方法を示すフローチャート図である。
【図３】図３は本発明の実施例に係わるユーザ装置に位置する下りデータ処理装置の構造ブロック図である。
【図４】図４は本発明の好適な実施例に係わるユーザ装置に位置する下りデータ処理装置の構造ブロック図である。
【図５】図５は本発明の実施例に係わる基地局に位置する下りデータ処理指示装置の構造ブロック図である。
【図６】図６は本発明の実施例に係わる基地局に位置する下りデータ処理指示装置の構造ブロック図である。
【発明を実施するための形態】
【００４６】
以下、図面を参照し、実施例を結び合わせて、本発明を詳しく説明する。なお、本願の実施例および実施例の特徴は、矛盾しない限り、互いに組み合わせることが可能である。
【００４７】
図１は本発明の実施例に係わる下りデータ処理方法を示すフローチャート図であり、図１に示すように、当該方法は以下のようなステップ（ステップS１０２〜ステップS１０８）を含む。
【００４８】
ステップＳ１０２について、ユーザ装置（ＵＥ）は、基地局により高層シグナリングを介し送信された、基地局がＵＥに配置する複数グループのリソース指示情報を受信する。
【００４９】
ステップＳ１０４について、ＵＥは、基地局から送信したサブフレームを受信し、サブフレームにおける下り承認指示情報を取得する。
【００５０】
ステップＳ１０６について、ＵＥは、複数グループのリソース指示情報から下り承認指示情報に整合するリソース指示情報であって、干渉があるリソース位置を指示する、或いは、リソース位置に対応する干渉情報とリソース位置とを指示するリソース指示情報を選択する。
【００５１】
ステップＳ１０８について、ＵＥは、リソース位置にてＵＥに送信した下りデータに対して干渉処理を行う。
【００５２】
本発明の一つの好適な実施形態において、下り承認指示情報は、アンテナポート指示情報、無効送信ブロックの新しいデータ指示情報、スクランブルシーケンス指示情報、下り承認制御情報の集団レベル、下り承認制御情報の初期制御チャネル手段（ＣＣＥ）の位置、プリセットしたビット、下り承認制御情報のあるサブフレームのサブフレーム番号、下り承認制御情報のあるシステムフレームのシステムフレーム番号の少なくとも１つを含む。
【００５３】
実際の応用において、下り承認制御情報は、ＤＣＩ（Ｄｏｗｎｌｉｎｋ  Ｃｏｎｔｒｏｌ  Ｉｎｆｏｒｍａｔｉｏｎ、下り承認制御情報）、ｆｏｒｍａｔ１、ＤＣＩ  ｆｏｒｍａｔ１ａ、ＤＣＩ  ｆｏｒｍａｔ１ｂ、ＤＣＩ  ｆｏｒｍａｔ１ｃ、ＤＣＩ  ｆｏｒｍａｔ１ｄ、ＤＣＩ  ｆｏｒｍａｔ２、ＤＣＩ  ｆｏｒｍａｔ２ａ、ＤＣＩ  ｆｏｒｍａｔ２ｂ、ＤＣＩ  Ｆｏｒｍａｔ２ｃとそれ以降のリリースの下り承認制御情報制御フォーマットの中の一種類或いは多種類を含む。その中で、アンテナポート指示情報は、ＤＣＩ  ｆｏｒｍａｔ２ｂ、ＤＣＩ  ｆｏｒｍａｔ２ｃとそれ以降のリリースの下り承認制御情報制御フォーマットの中の一種類或いは多種類においてアンテナポート指示に関する情報を含む。無効送信ブロックの新しいデータ指示情報は、ＤＣＩ  ｆｏｒｍａｔ２ｂ、ＤＣＩ  ｆｏｒｍａｔ２ｃとそれ以降のリリースの下り承認制御情報制御フォーマットの一種類或いは多種類の新しいデータ指示に関する情報を含む。ユーザ専用検索空間におけるＰＤＣＣＨと集団レベルは、ＤＣＩ  ｆｏｒｍａｔ１、ＤＣＩ  ｆｏｒｍａｔ１ａ、ＤＣＩｆｏｒｍａｔ１ｂ、ＤＣＩ  ｆｏｒｍａｔ１ｃ、ＤＣＩｆｏｒｍａｔ１ｄ、ＤＣＩ  ｆｏｒｍａｔ２、ＤＣＩ  ｆｏｒｍａｔ２ａ、ＤＣＩ  ｆｏｒｍａｔ２ｂ、ＤＣＩ  Ｆｏｒｍａｔ２Ｃとそれ以降のリリースの下り承認制御情報の制御フォーマットの一種類或いは多種類のユーザ専用検索空間と集団レベルにおける一種類或いは多種類を含む。下り承認制御情報があるサブフレーム番号は、ＤＣＩ  ｆｏｒｍａｔ１、ＤＣＩ  ｆｏｒｍａｔ１ａ、ＤＣＩ  ｆｏｒｍａｔ１ｂ、ＤＣＩ  ｆｏｒｍａｔ１ｃ、ＤＣＩ  ｆｏｒｍａｔ１ｄ、ＤＣＩ  ｆｏｒｍａｔ２、ＤＣＩ  ｆｏｒｍａｔ２ａ、ＤＣＩ  ｆｏｒｍａｔ２ｂ、ＤＣＩ  ｆｏｒｍａｔ２ｃとそれ以降のリリースの下り承認制御情報制御フォーマットの一種類或いは多種類があるサブフレームのサブフレーム番号を含む。
【００５４】
本発明の一つの好適な実施形態において、ＵＥは、基地局によりユーザ専用高層シグナリングを介しＵＥに配置した複数グループのリソース指示情報を受信することで、ステップＳ１０２が実現することができる。ステップＳ１０２において、ＵＥが基地局から送信したサブフレームを受信することは、基地局がサブフレームの物理下り制御チャネル（ＰＤＣＣＨ）領域又は拡張物理下り制御チャネル（ＥＰＤＣＣＨ）領域において、サブフレームにＵＥに対応する下りデータがあることを指示する下り承認情報を携帯し、サブフレームをＵＥに送信することを含む。
【００５５】
ステップＳ１０４において、サブフレームにおける下り承認指示情報を取得することは、ＵＥがサブフレームに対してブラインド検出をして、下り承認情報を解析することと、下り承認情報指示の、ＵＥに対応する下りデータに対してブラインド検出をして下り承認指示情報を取得することとを含む。
【００５６】
本発明の一つの好適な実施形態において、リソース指示情報は、干渉があるリソース位置を指示する場合、ＵＥがリソース位置でＵＥに送信した下りデータに対して干渉処理を行うことは、ＵＥがリソース位置で下りデータを受信することを禁止すること、或いはＵＥが、リソース位置に対応するリソースにて基地局がデータをマッピングしない（データをマッピングしないことは物理下り共有チャネルデータをマッピングしないことを含む）ことを承知する、或いはＵＥが、リソース位置に対応するリソースにて基地局がデータをマッピングしない（データをマッピングしないことは物理下り共有チャネルデータをマッピングしないことを含む）ことを承知してから、リソース位置でレートマッチングをすることを含む。
【００５７】
実際の応用において、リソース位置は、物理下り共有チャネル（ＰＤＳＣＨ）の時間領域ＯＦＤＭシンボルの初期位置、リソース位置に対応するマルチキャストブロードキャスト単一周波数ネットワーク（ＭＢＳＦＮ）サブフレーム配置情報、セル固有参照信号（ＣＲＳ）のポート数、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含む。
【００５８】
本発明の一つの好適な実施形態において、リソース指示情報は、リソース位置に対応する干渉情報及びリソース位置を指示する場合、ＵＥがリソース位置でＵＥに送信した下りデータに対して干渉処理を行うことは、ＵＥがリソース位置で下りデータを受信することと、ＵＥがリソース位置に対応する干渉情報により、下りデータに対して干渉相殺を行うこととを含む。
【００５９】
実際の応用において、リソース位置に対応する干渉情報及びリソース位置は、セル固有参照信号（ＣＲＳ）配置情報、ゼロパワーチャネル状態情報基準信号（ＣＳＩ−ＲＳ）或いは非ゼロパワーＣＳＩ−ＲＳの配置情報、物理下り共有チャネル（ＰＤＳＣＨ）の初期位置、リソース位置に対応するマルチキャストブロードキャスト単一周波数ネットワークＭＢＳＦＮサブフレーム配置情報の中の少なくとも１つを含む。
【００６０】
ＣＲＳ配置情報は、ＣＲＳのポート数、ＣＲＳに対応するセルアイデンティティ、ＣＲＳの送信パワーの少なくとも１つを含み、ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含むことが好ましい。
【００６１】
図２は本発明の実施例に係わる下りデータ処理指示方法を示すフローチャート図であり、図２に示すように、当該方法は以下のようなステップ（ステップS２０２〜ステップS２０６）を含む。
【００６２】
ステップＳ２０２について、基地局は、高層シグナリングを介し、ユーザ装置（ＵＥ）に、基地局がＵＥに配置した複数グループのリソース指示情報を送信する。
【００６３】
ステップＳ２０４について、基地局は、下り承認指示情報が携帯される下りサブフレームをＵＥに送信する。
【００６４】
ステップＳ２０６について、基地局は、ＵＥで複数グループのリソース指示情報から下り承認指示情報に整合するリソース指示情報であって、干渉があるリソース位置を指示する、或いは、リソース位置に対応する干渉情報とリソース位置とを指示するリソース指示情報を選択してから、ＵＥにリソース指示情報により下りデータに対して干渉処理を行うように指示する。
【００６５】
本発明の一つの好適な実施形態において、下り承認指示情報は、アンテナポート指示情報、無効送信ブロックの新しいデータ指示情報、スクランブルシーケンス指示情報、下り承認制御情報の集団レベル、下り承認制御情報の初期制御チャネル手段（ＣＣＥ）の位置、プリセットしたビット、下り承認制御情報のあるサブフレームのサブフレーム番号、下り承認制御情報のあるシステムフレームのシステムフレーム番号の少なくとも１つを含む。
【００６６】
本発明の一つの好適な実施形態において、基地局がユーザ専用高層シグナリングを介しＵＥに配置した複数グループのリソース指示情報をＵＥへ送信することで、ステップＳ２０２が実現されて、基地局がサブフレームにおける物理下り制御チャネル（ＰＤＣＣＨ）領域又は拡張物理下り制御チャネル（ＥＰＤＣＣＨ）領域にて、サブフレームにＵＥに対応する下りデータがあることを指示する下り承認情報を携帯し、サブフレームをＵＥに送信することで、ステップＳ２０４が実現される。
【００６７】
本発明の一つの好適な実施形態において、リソース指示情報は、干渉があるリソース位置を指示する場合、基地局がＵＥにリソース指示情報により下りデータに対して干渉処理を行うように指示することは、基地局がＵＥにリソース位置で下りデータを受信することを禁止するように指示すること、或いは基地局がＵＥに、リソース位置に対応するリソースにて基地局がデータをマッピングしない（データをマッピングしないことは物理下り共有チャネルデータをマッピングしないことを含む）ことを通知する、或いは基地局がＵＥに、リソース位置に対応するリソースにて基地局がデータをマッピングしない（データをマッピングしないことは物理下り共有チャネルデータをマッピングしないことを含む）ことを通知してから、リソース位置でレートマッチングをすることで実現される。
【００６８】
実際の応用において、リソース位置は、物理下り共有チャネル（ＰＤＳＣＨ）の時間領域ＯＦＤＭシンボルの初期位置、リソース位置に対応するマルチキャストブロードキャスト単一周波数ネットワーク（ＭＢＳＦＮ）サブフレーム配置情報、セル固有参照信号（ＣＲＳ）配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含む。
【００６９】
本発明の一つの好適な実施形態において、リソース指示情報は、リソース位置に対応する干渉情報及びリソース位置を指示する場合、基地局がＵＥにリソース位置でＵＥに送信した下りデータに対して干渉処理を行うように指示することは、基地局がＵＥにリソース位置で下りデータを受信するように指示することと、基地局がＵＥにリソース位置に対応する干渉情報により、下りデータに対して干渉相殺を行うように指示することとで実現される。
【００７０】
実際の応用において、リソース位置に対応する干渉情報及びリソース位置は、セル固有参照信号（ＣＲＳ）配置情報、ゼロパワーチャネル状態情報基準信号（ＣＳＩ−ＲＳ）配置情報、非ゼロパワーＣＳＩ−ＲＳの配置情報、物理下り共有チャネルＰＤＳＣＨ時間領域ＯＦＤＭシンボルの初期位置、リソース位置に対応するマルチキャストブロードキャスト単一周波数ネットワークＭＢＳＦＮサブフレーム配置情報の中の少なくとも１つを含む。
【００７１】
実際の応用において、ＣＲＳ配置情報は、ＣＲＳのポート数、ＣＲＳに対応するセルアイデンティティ、ＣＲＳの送信パワーの少なくとも１つを含み、ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含む。
【００７２】
以下、好適な実施例を結合して、上記下りデータ処理方法と下りデータ処理指示方法について詳しく説明したが、以下の説明において、記載しやすいために、上記干渉があるリソース位置をリソース位置と略称し、上記リソース位置に対応する干渉情報及びリソース位置をリソース位置及び対応する位置の干渉情報をいう。
【００７３】
好適な実施例１
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔ（即ち下り承認）情報を送信して現在のサブフレームにおいてＵＥ１がある下りデータを指示し、ＵＥ１が当該サブフレームでブラインド検出をしてＤＬ＿Ｇｒａｎｔを取得し、ＵＥ１がＤＬ＿Ｇｒａｎｔにおける指示情報（実際の応用において、下り承認制御情報のフォーマットを指示するビットデータの形で存在する）により、ブラインド検出を介しＤＣＩ（Ｄｏｗｎｌｉｎｋ  Ｃｏｎｔｒｏｌ  Ｉｎｆｏｒｍａｔｉｏｎ、下り制御情報）Ｆｏｒｍａｔ  ２ｃにおけるアンテナポート指示情報を得て、基地局によって配置された複数グループのリソース位置（或いは、リソース位置及び対応する位置の干渉情報）のどのグループを用いるかを決定する。例えば、ＵＥ１がブラインド検出によりＤＬ＿Ｇｒａｎｔにおける一層の送信が得られ、且つ有効ＴＢ（伝送ブロック）のアンテナポートがポート７、スクランブルシーケンス指示情報ＮSCID=０である場合、最初のリソース位置（或いはリソース位置及び対応する位置の干渉情報）を選択し、有効ＴＢのアンテナポートがポート８、且つスクランブルシーケンス指示情報ＮSCID=０である場合、二番目のリソース位置（或いは、リソース位置及び対応する位置の干渉情報）を選択し、有効なＴＢのアンテナポートがポート７、且つスクランブルシーケンス指示情報ＮSCID=１である場合、三番目のリソース位置（或いは、リソース位置及び対応する位置の情報）を選択して、有効なＴＢのアンテナポートがポート８、且つスクランブルシーケンス指示情報ＮSCID=１である場合、四番目のリソース位置（或いは、リソース位置及び対応する位置の干渉情報）を選択する。ＵＥがリソース位置を取得してから、レートマッチングを用いリソース位置で下りデータを受信しない、或いはリソース位置及び対応する位置の干渉情報を取得してから、リソース位置で下りデータを受信し、対応する位置の干渉情報を用いサブフレームにおける対応するリソース（即ち干渉を生成したリソース）に対して干渉相殺を行う。
【００７４】
好適な実施例２
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔ情報を送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出によりＤＣＩ  Ｆｏｒｍａｔ  ２ＣにおけるＤｉｓａｂｌｅ  ＴＢブロックの新しいデータ指示情報を得て、基地局により配置された複数グループのリソース位置（或いは、リソース位置及び対応する位置の干渉情報）におけるどのグループを採用するかを決定する。例えば：ＵＥ１がブラインド検出によりＤＬ＿Ｇｒａｎｔにおける一層の送信を得て、且つ無効ＴＢの新しいデータ指示情報ＮＤＩ=０である場合、最初のリソース位置（或いは、リソース位置及び対応する位置の干渉情報）を選択し、ＵＥ１がブラインド検出によりＤＬ＿Ｇｒａｎｔにおける一層の送信ことを得て、且つ無効ＴＢの新しいデータ指示情報ＮＤＩ=１である場合、二番目のリソース位置（或いは、リソース位置及び対応する位置の干渉情報）を選択する。ＵＥがリソース位置及び対応する位置の干渉情報を取得してから、レートマッチングを用い対応するリソース位置で下りデータを受信しない、或いは対応するリソース位置で下りデータを受信し、対応する干渉情報を用い対応するリソースに対して干渉相殺を行う。
【００７５】
好適な実施例３
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出によりＤＣＩ  Ｆｏｒｍａｔ  ２ＣにおけるＤｉｓａｂｌｅ  ＴＢブロックの新しいデータ指示情報とアンテナポート指示情報を得て、基地局により配置された複数グループのリソース位置（或いは、リソース位置及び対応する位置の干渉情報）におけるどのグループを採用するかを決定する。例えば、ＵＥ１がブラインド検出によりＤＬ＿Ｇｒａｎｔにおける一層の送信を得て、且つ無効ＴＢの新しいデータ指示情報ＮＤＩ=０、有効なＴＢのアンテナポートがポート７である場合、第１グループのリソース位置（或いは、リソース位置及び対応する位置の干渉情報）を選択し、ＵＥ１がブラインド検出によりＤＬ＿Ｇｒａｎｔには一層が送信されることを得て、且つ無効ＴＢの新しいデータ指示情報ＮＤＩ=０、有効なＴＢのアンテナポートがポート８である場合、第２グループのリソース位置（或いは、リソース位置及び対応する位置の干渉情報）を選択し、ＵＥ１がブラインド検出によりＤＬ＿Ｇｒａｎｔにおける一層の送信を得て、且つ無効ＴＢの新しいデータ指示情報ＮＤＩ=１、有効なＴＢのアンテナポートがポート７である場合、第３グループのリソース位置（或いは、リソース位置及び対応する位置の干渉情報）を選択して、ＵＥ１がブラインド検出によりＤＬ＿Ｇｒａｎｔにおける一層の送信を得て、且つ無効ＴＢの新しいデータ指示情報ＮＤＩ=１、有効なＴＢのアンテナポートがポート８である場合、第４グループのリソース位置（或いは、リソース位置及び対応する位置の干渉情報）を選択する。ＵＥがリソース位置及び対応する位置の干渉情報を取得してから、レートマッチングを用い対応するリソース位置で下りデータを受信しない、或いは対応するリソース位置で下りデータを受信し、対応する干渉情報を用い対応するリソースに対して干渉相殺を行う。
【００７６】
好適な実施例４
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出によりＤＣＩ  Ｆｏｒｍａｔ  ２ＣにおけるＤｉｓａｂｌｅ  ＴＢブロックの新しいデータ指示情報とスクランブルシーケンス指示情報ＮSCIDを得て、基地局により配置された複数グループのリソース位置（或いは、リソース位置及び対応する位置の干渉情報）におけるどのグループを採用するかを決定する。例えば、ＵＥ１がブラインド検出によりＤＬ＿Ｇｒａｎｔにおける一層の送信を得て、且つ無効ＴＢの新しいデータ指示情報ＮＤＩ=０、有効なＴＢのＮSCID=０である場合、第１グループのリソース位置（或いは、リソース位置及び対応する位置の干渉情報）を選択し、ＵＥ１がブラインド検出によりＤＬ＿Ｇｒａｎｔにおける一層の送信を得て、且つ無効ＴＢの新しいデータ指示情報ＮＤＩ=０、有効なＴＢのＮSCID=１である場合、第２グループのリソース位置（或いは、リソース位置及び対応する位置の干渉情報）を選択し、ＵＥ１がブラインド検出によりＤＬ＿Ｇｒａｎｔにおける一層の送信を得て、且つ無効ＴＢの新しいデータ指示情報ＮＤＩ=１、有効なＴＢのＮSCID=０である場合、第３グループのリソース位置（或いは、リソース位置及び対応する位置の干渉情報）を選択して、ＵＥ１がブラインド検出によりＤＬ＿Ｇｒａｎｔにおける一層の送信を得て、且つ無効ＴＢの新しいデータ指示情報ＮＤＩ=１、有効なＴＢのＮSCID=１である場合、第４グループのリソース位置（或いは、リソース位置及び対応する位置の干渉情報）を選択する。
【００７７】
好適な実施例５
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出によりＤＣＩ  Ｆｏｒｍａｔ  ２ＣにおけるＤｉｓａｂｌｅ  ＴＢブロックの新しいデータ指示情報とアンテナポート指示情報とスクランブルシーケンス指示情報ＮSCIDを得て、基地局により配置された複数グループのリソース位置（或いは、リソース位置及び対応する位置の干渉情報）におけるどのグループを採用するかを決定する。ＵＥ１をＲ１１のユーザとして、基地局側が高層シグナリングを介しＵＥ１に複数グループの下りＤＭＲＳの仮想シグナリングを配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出によりＤＣＩ  Ｆｏｒｍａｔ  ２ＣにおけるＤｉｓａｂｌｅ  ＴＢブロックの新しいデータ指示情報とスクランブルシーケンス指示情報ＮSCIDを得て、基地局により配置された複数グループのリソース位置（或いは、リソース位置及び対応する位置の干渉情報）におけるどのグループを採用するかを決定する。例えば、ＵＥ１がブラインド検出によりＤＬ＿Ｇｒａｎｔにおける一層の送信を得て、且つ無効ＴＢの新しいデータ指示情報ＮＤＩ=０、有効なＴＢのＮSCID=０で、有効なＴＢのアンテナポートがポート７ある場合、第１グループのリソース位置（或いは、リソース位置及び対応する位置の干渉情報）を選択し、ＵＥ１がブラインド検出によりＤＬ＿Ｇｒａｎｔにおける一層の送信を得て、且つ無効ＴＢの新しいデータ指示情報ＮＤＩ=０、有効なＴＢのＮSCID=１、有効なＴＢのアンテナポートがポート７である場合、第２グループのリソース位置（或いは、リソース位置及び対応する位置の干渉情報）を選択し、ＵＥ１がブラインド検出によりＤＬ＿Ｇｒａｎｔにおける一層の送信を得て、且つ無効ＴＢの新しいデータ指示情報ＮＤＩ=１、有効なＴＢのＮSCID=０、有効なＴＢのアンテナポートがポート８である場合、第３グループのリソース位置（或いは、リソース位置及び対応する位置の干渉情報）を選択して、ＵＥ１がブラインド検出によりＤＬ＿Ｇｒａｎｔにおける一層の送信を得て、且つ無効ＴＢの新しいデータ指示情報ＮＤＩ=１、有効なＴＢのＮSCID=１、有効なＴＢのアンテナポートがポート８である場合、第４グループのリソース位置（或いは、リソース位置及び対応する位置の干渉情報）を選択する。
【００７８】
好適な実施例６
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出により当該がＤＬ＿Ｇｒａｎｔが置かれた初期ＣＣＥの位置を得て、基地局により配置された複数グループのリソース位置（或いは、リソース位置及び対応する位置の干渉情報）におけるどのグループを採用するかを決定する。例えば、ＵＥ１がＤＬ＿Ｇｒａｎｔの集団レベルＬ=１と検出し、且つ初期ＣＣＥの位置ｎＣＣＥ，ｏｆｆｓｅｔ=０/２/４、又はＬ=２且つｎＣＣＥ，ｏｆｆｓｅｔ=０/４/８、又はＬ=４且つｎＣＣＥ，ｏｆｆｓｅｔ=０、又はＬ=８且つｎＣＣＥ，ｏｆｆｓｅｔ=０である場合、第１グループのリソース位置（或いは、リソース位置及び対応する位置の干渉情報）を選択し、Ｌ=１且つｎＣＣＥ，ｏｆｆｓｅｔ=１/３/５、又はＬ=２且つｎＣＣＥ，ｏｆｆｓｅｔ=２/６/１０、又はＬ=４且つｎＣＣＥ，ｏｆｆｓｅｔ=４、又はＬ=８且つｎＣＣＥ，ｏｆｆｓｅｔ=８である場合、第２グループのリソース位置（或いは、リソース位置及び対応する位置の干渉情報）を選択する。
【００７９】
好適な実施例７
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出により当該ＤＬ＿Ｇｒａｎｔが置かれた初期ＣＣＥの位置と集団レベルを得て、基地局により配置された複数グループのリソース位置（或いは、リソース位置及び対応する位置の干渉情報）におけるどのグループを採用するかを決定する。例えば、ＵＥ１がＤＬ＿Ｇｒａｎｔの集団レベルＬ=１であると検出して、且つｎＣＣＥ，ｏｆｆｓｅｔ=０/２/４、又はＬ=２且つｎＣＣＥ，ｏｆｆｓｅｔ=０/４/８である場合、第１グループのリソース位置（或いは、リソース位置及び対応する位置の干渉情報）を選択し、Ｌ=４且つｎＣＣＥ，ｏｆｆｓｅｔ=０、又はＬ=８且つｎＣＣＥ，ｏｆｆｓｅｔ=０である場合、第２グループのリソース位置（或いは、リソース位置及び対応する位置の干渉情報）を選択し、Ｌ=１且つｎＣＣＥ，ｏｆｆｓｅｔ=１/３/５、又はＬ=２且つｎＣＣＥ，ｏｆｆｓｅｔ=２/６/１０である場合、第３グループのリソース位置（或いは、リソース位置及び対応する位置の干渉情報）を選択し、Ｌ=４且つｎＣＣＥ，ｏｆｆｓｅｔ=４、又はＬ=８且つｎＣＣＥ，ｏｆｆｓｅｔ=８である場合、第４グループのリソース位置（或いは、リソース位置及び対応する位置の干渉情報）を選択する。
【００８０】
好適な実施例８
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出により当該ＤＬ＿Ｇｒａｎｔが置かれた初期ＣＣＥの位置と検出されたＤＣＩにおいてリソース位置と干渉情報を指示する新規追加した１ビットを得て、基地局により配置された複数グループのリソース位置（或いは、リソース位置及び対応する位置の干渉情報）におけるどのグループを採用するかを決定する。例えば、ＵＥ１がＤＬ＿Ｇｒａｎｔの集団レベルＬ=１であることを検出して、且つ初期ＣＣＥの位置ｎＣＣＥ，Ｏｆｆｓｅｔ=０/２/４、又はＬ=２且つｎＣＣＥ,ｏｆｆｓｅｔ=０/４/８、又はＬ=４且つｎＣＣＥ，ｏｆｆｓｅｔ=０、又はＬ=８且つｎＣＣＥ，ｏｆｆｓｅｔ=０、新規追加した１ビットが０と指示する場合、第１グループのリソース位置（或いは、リソース位置及び対応する位置の干渉情報）を選択し、Ｌ=１且つｎＣＣＥ，ｏｆｆｓｅｔ=１/３/５、又はＬ=２且つｎＣＣＥ，ｏｆｆｓｅｔ=２/６/１０、又はＬ=４且つｎＣＣＥ，ｏｆｆｓｅｔ=４、又はＬ=８且つｎＣＣＥ，ｏｆｆｓｅｔ=８、新規追加した１ビットが０と指示する場合、第２グループのリソース位置（或いは、リソース位置及び対応する位置の干渉情報）を選択する。ＵＥ１がＤＬ＿Ｇｒａｎｔの集団レベルＬ=１であることを検出して、且つ初期ＣＣＥの位置ｎＣＣＥ，Ｏｆｆｓｅｔ=０/２/４、又はＬ=２且つｎＣＣＥ,ｏｆｆｓｅｔ=０/４/８、又はＬ=４且つｎＣＣＥ,ｏｆｆｓｅｔ=０、又はＬ=８且つｎＣＣＥ,ｏｆｆｓｅｔ=０、新規追加した１ビットが１と指示する場合、第３グループのリソース位置（或いは、リソース位置及び対応する位置の干渉情報）を選択し、Ｌ=１且つｎＣＣＥ,ｏｆｆｓｅｔ=１/３/５、又はＬ=２且つｎＣＣＥ,ｏｆｆｓｅｔ=２/６/１０、又はＬ=４且つｎＣＣＥ，ｏｆｆｓｅｔ=４、又はＬ=８且つｎＣＣＥ，ｏｆｆｓｅｔ=８、新規追加した１ビットが１と指示する場合、第４グループのリソース位置（或いは、リソース位置及び対応する位置の干渉情報）を選択する。
【００８１】
好適な実施例９
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出により当該ＤＬ＿Ｇｒａｎｔが置かれた初期ＣＣＥの位置とスクランブルシーケンス指示情報ＮSCIDを得て、基地局により配置された複数グループのリソース位置（或いは、リソース位置及び対応する位置の干渉情報）におけるどのグループを採用するかを決定する。例えば、ＵＥ１がＤＬ＿Ｇｒａｎｔの集団レベルＬ=１であることを検出して、且ｎＣＣＥ，Ｏｆｆｓｅｔ=０/２/４、又はＬ=２且つｎＣＣＥ,ｏｆｆｓｅｔ=０/４/８、又はＬ=４且つｎＣＣＥ，ｏｆｆｓｅｔ=０、又はＬ=８且つｎＣＣＥ，ｏｆｆｓｅｔ=０、検出されたＤＬ＿Ｇｒａｎｔのスクランブルシーケンス指示情報ＮSCID=０である場合、第１グループのリソース位置（或いは、リソース位置及び対応する位置の干渉情報）を選択し、Ｌ=１且つｎＣＣＥ，ｏｆｆｓｅｔ=１/３/５、又はＬ=２且つｎＣＣＥ，ｏｆｆｓｅｔ=２/６/１０，はＬ=４且つｎＣＣＥ，ｏｆｆｓｅｔ=４、又はＬ=８且つｎＣＣＥ，ｏｆｆｓｅｔ=８、且つ検出されたＤＬ＿Ｇｒａｎｔのスクランブルシーケンス指示情報ＮSCID=０である場合、第２グループのリソース位置（或いは、リソース位置及び対応する位置の干渉情報）を選択する。ＵＥ１がＤＬ＿Ｇｒａｎｔの集団レベルＬ=１であることを検出して、且つｎＣＣＥ，Ｏｆｆｓｅｔ=０/２/４、又はＬ=２且つｎＣＣＥ,ｏｆｆｓｅｔ=０/４/８、又はＬ=４且つｎＣＣＥ，ｏｆｆｓｅｔ=０、又はＬ=８且つｎＣＣＥ，ｏｆｆｓｅｔ=０、検出されたＤＬ＿Ｇｒａｎｔのスクランブルシーケンス指示情報ＮSCID=１である場合、第３グループのリソース位置（或いは、リソース位置及び対応する位置の干渉情報）を選択し、Ｌ=１且つｎＣＣＥ，ｏｆｆｓｅｔ=１/３/５、又はＬ=２且つｎＣＣＥ，ｏｆｆｓｅｔ=２/６/１０，はＬ=４且つｎＣＣＥ，ｆｆｓｅｔ=４、又はＬ=８且つｎＣＣＥ，ｏｆｆｓｅｔ=８、且つ検出されたＤＬ＿Ｇｒａｎｔのスクランブルシーケンス指示情報ＮSCID=１である場合、第４グループのリソース位置（或いは、リソース位置及び対応する位置の干渉情報）を選択する。
【００８２】
好適な実施例１０
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出により当該ＤＬ＿Ｇｒａｎｔが置かれた初期ＣＣＥの位置と、集団レベル、スクランブルシーケンス指示情報ＮSCIDを得て、基地局により配置された複数グループのリソース位置（或いは、リソース位置及び対応する位置の干渉情報）におけるどのグループを採用するかを決定する。例えば、ＵＥ１がＤＬ＿Ｇｒａｎｔの集団レベルＬ=１であることを検出して、且つＣＣＥの位置ｎＣＣＥ，Ｏｆｆｓｅｔ=０/２/４、又はＬ=２且つｎＣＣＥ,ｏｆｆｓｅｔ=０/４/８、且つ検出されたＤＬ＿Ｇｒａｎｔのスクランブルシーケンス指示情報ＮSCID=０である場合、第１グループのリソース位置（或いは、リソース位置及び対応する位置の干渉情報）を選択し、Ｌ=４且つｎＣＣＥ，ｆｆｓｅｔ=０、又はＬ=８且つｎＣＣＥ，ｆｆｓｅｔ=０、且つ検出されたＤＬ＿Ｇｒａｎｔのスクランブルシーケンス指示情報ＮSCID=０である場合、第２グループのリソース位置（或いは、リソース位置及び対応する位置の干渉情報）を選択し、Ｌ=１且つｎＣＣＥ，ｏｆｆｓｅｔ=１/３/５、又はＬ=２且つｎＣＣＥ，ｏｆｆｓｅｔ=２/６/１０、且つ検出されたＤＬ＿Ｇｒａｎｔのスクランブルシーケンス指示情報ＮSCID=０である場合、第３のグループのリソース位置（或いは、リソース位置及び対応する位置の干渉情報）を選択し、Ｌ=４且つｎＣＣＥ，ｆｆｓｅｔ=４、又はＬ=８且つｎＣＣＥ，ｏｆｆｓｅｔ=８、且つ検出されたＤＬ＿Ｇｒａｎｔのスクランブルシーケンス指示情報ＮSCID=０である場合、第４グループのリソース位置（或いは、リソース位置及び対応する位置の干渉情報）を選択する。ＵＥ１がＤＬ＿Ｇｒａｎｔの集団レベルＬ=１であることを検出して、且つｎＣＣＥ，Ｏｆｆｓｅｔ=０/２/４、又はＬ=２且つｎＣＣＥ,ｏｆｆｓｅｔ=０/４/８、検出されたＤＬ＿Ｇｒａｎｔのスクランブルシーケンス指示情報ＮSCID=１である場合、第５グループのリソース位置（或いは、リソース位置及び対応する位置の干渉情報）を選択し、Ｌ=４且つｎＣＣＥ，ｏｆｆｓｅｔ=０、又はＬ=８且つｎＣＣＥ，ｏｆｆｓｅｔ=０、且つ検出されたＤＬ＿Ｇｒａｎｔのスクランブルシーケンス指示情報ＮSCID=１である場合、第６グループのリソース位置（或いは、リソース位置及び対応する位置の干渉情報）を選択する。Ｌ=１且つｎＣＣＥ，ｏｆｆｓｅｔ=１/３/５、又はＬ=２且つｎＣＣＥ，ｏｆｆｓｅｔ=２/６/１０、且つ検出されたＤＬ＿Ｇｒａｎｔのスクランブルシーケンス指示情報ＮSCID=１である場合、第７のグループのリソース位置（或いは、リソース位置及び対応する位置の干渉情報）を選択し、Ｌ=４且つｎＣＣＥ，ｆｆｓｅｔ=４、又はＬ=８且つｎＣＣＥ，ｏｆｆｓｅｔ=８、且つ検出されたＤＬ＿Ｇｒａｎｔのスクランブルシーケンス指示情報ＮSCID=１��ある場合、第８グループのリソース位置（或いは、リソース位置及び対応する位置の干渉情報）を選択する。
【００８３】
好適な実施例１１
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出により当該ＤＬ＿Ｇｒａｎｔが置かれた初期ＣＣＥの位置と無効ＴＢシグナリングにおける新しいデータ指示情報ＮＤＩを得て、基地局により配置された複数グループのリソース位置（或いは、リソース位置及び対応する位置の干渉情報）におけるどのグループを採用するかを決定する。例えば、ＵＥ１がＤＬ＿Ｇｒａｎｔの集団レベルＬ=１であることを検出して、且つｎＣＣＥ，Ｏｆｆｓｅｔ=０/２/４、又はＬ=２且つｎＣＣＥ,ｏｆｆｓｅｔ=０/４/８、又はＬ=４且つｎＣＣＥ，ｏｆｆｓｅｔ=０、又はＬ=８且つｎＣＣＥ，ｏｆｆｓｅｔ=０、検出されたＤＬ＿Ｇｒａｎｔの無効ＴＢシグナリングにおける新しいデータ指示情報ＮＤＩ=０である場合、第１グループのリソース位置（或いは、リソース位置及び対応する位置の干渉情報）を選択し、Ｌ=１且つｎＣＣＥ，ｏｆｆｓｅｔ=１/３/５、又はＬ=２且つｎＣＣＥ，ｏｆｆｓｅｔ=２/６/１０，はＬ=４且つｎＣＣＥ，ｏｆｆｓｅｔ=４、又はＬ=８且つｎＣＣＥ，ｏｆｆｓｅｔ=８、且つ検出されたＤＬ＿Ｇｒａｎｔの無効ＴＢシグナリングにおける新しいデータ指示情報ＮＤＩ=０である場合、第２グループのリソース位置（或いは、リソース位置及び対応する位置の干渉情報）を選択する。ＵＥ１がＤＬ＿Ｇｒａｎｔの集団レベルＬ=１であることを検出して、且つｎＣＣＥ，Ｏｆｆｓｅｔ=０/２/４、又はＬ=２且つｎＣＣＥ,ｏｆｆｓｅｔ=０/４/８、又はＬ=４且つｎＣＣＥ，ｏｆｆｓｅｔ=０、又はＬ=８且つｎＣＣＥ，ｏｆｆｓｅｔ=０、検出されたＤＬ＿Ｇｒａｎｔの無効ＴＢシグナリングにおける新しいデータ指示情報ＮＤＩ=１である場合、第３グループのリソース位置（或いは、リソース位置及び対応する位置の干渉情報）を選択し、Ｌ=１且つｎＣＣＥ，ｏｆｆｓｅｔ=１/３/５、又はＬ=２且つｎＣＣＥ，ｏｆｆｓｅｔ=２/６/１０，又はＬ=４且つｎＣＣＥ，ｏｆｆｓｅｔ=４、又はＬ=８且つｎＣＣＥ，ｏｆｆｓｅｔ=８、且つ検出されたＤＬ＿Ｇｒａｎｔの無効ＴＢシグナリングにおける新しいデータ指示情報ＮＤＩ=１である場合、第４グループのリソース位置（或いは、リソース位置及び対応する位置の干渉情報）を選択する。
【００８４】
好適な実施例１２
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出により当該ＤＬ＿Ｇｒａｎｔが置かれた初期ＣＣＥの位置と集団レベル、無効ＴＢシグナリングにおける新しいデータ指示情報ＮＤＩを得て、基地局により配置された複数グループのリソース位置（或いは、リソース位置及び対応する位置の干渉情報）におけるどのグループを採用するかを決定する。例えば、ＵＥ１がＤＬ＿Ｇｒａｎｔの集団レベルＬ=１であることを検出して、且つｎＣＣＥ，Ｏｆｆｓｅｔ=０/２/４、又はＬ=２且つｎＣＣＥ,ｏｆｆｓｅｔ=０/４/８、検出されたＤＬ＿Ｇｒａｎｔの無効ＴＢシグナリングにおける新しいデータ指示情報ＮＤＩ=０である場合、第１グループのリソース位置（或いは、リソース位置及び対応する位置の干渉情報）を選択し、Ｌ=４且つｎＣＣＥ，ｏｆｆｓｅｔ=０、又はＬ=８且つｎＣＣＥ，ｏｆｆｓｅｔ=０、且つ検出されたＤＬ＿Ｇｒａｎｔのスクランブルシーケンス指示情報ＮSCID=０である場合、第２グループのリソース位置（或いは、リソース位置及び対応する位置の干渉情報）を選択する。Ｌ=１且つｎＣＣＥ，ｏｆｆｓｅｔ=１/３/５、又はＬ=２且つｎＣＣＥ，ｏｆｆｓｅｔ=２/６/１０、且つ検出されたＤＬ＿Ｇｒａｎｔの無効ＴＢシグナリングにおける新しいデータ指示情報ＮＤＩ=０である場合、第３のグループのリソース位置（或いは、リソース位置及び対応する位置の干渉情報）を選択し、Ｌ=４且つｎＣＣＥ，ｏｆｆｓｅｔ=４、又はＬ=８且つｎＣＣＥ，ｏｆｆｓｅｔ=８、且つ検出されたＤＬ＿Ｇｒａｎｔの無効ＴＢシグナリングにおける新しいデータ指示情報ＮＤＩ=０である場合、第４グループのリソース位置（或いは、リソース位置及び対応する位置の干渉情報）を選択する。ＵＥ１がＤＬ＿Ｇｒａｎｔの集団レベルＬ=１であると検出して、且つｎＣＣＥ，ｏｆｆｓｅｔ=０/２/４、又はＬ=２且つｎＣＣＥ，ｏｆｆｓｅｔ=０/４/８、検出されたＤＬ＿Ｇｒａｎｔの無効ＴＢシグナリングにおける新しいデータ指示情報ＮＤＩ=１である場合、第５グループのリソース位置（或いは、リソース位置及び対応する位置の干渉情報）を選択し、Ｌ=４且つｎＣＣＥ，ｏｆｆｓｅｔ=０、又はＬ=８且つｎＣＣＥ，ｏｆｆｓｅｔ=０である場合、検出されたＤＬ＿Ｇｒａｎｔの無効ＴＢシグナリングにおける新しいデータ指示情報ＮＤＩ=１である場合、第６グループのリソース位置（或いは、リソース位置及び対応する位置の干渉情報）を選択し、Ｌ=１且つｎＣＣＥ，ｏｆｆｓｅｔ=１/３/５、又はＬ=２且つｎＣＣＥ，ｏｆｆｓｅｔ=２/６/１０、検出されたＤＬ＿Ｇｒａｎｔの無効ＴＢシグナリングにおける新しいデータ指示情報ＮＤＩ=１である場合、第７グループのリソース位置（或いは、リソース位置及び対応する位置の干渉情報）を選択し、Ｌ=４且つｎＣＣＥ，ｏｆｆｓｅｔ４、又はＬ=８且つｎＣＣＥ，ｏｆｆｓｅｔ=８、検出されたＤＬ＿Ｇｒａｎｔの無効ＴＢシグナリングにおける新しいデータ指示情報ＮＤＩ=１である場合、第８グループのリソース位置（或いは、リソース位置及び対応する位置の干渉情報）を選択する。
【００８５】
好適な実施例１３
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔを送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出により当該ＤＬ＿Ｇｒａｎｔが置かれた初期ＣＣＥの位置と、集団レベル、及び所在するサブフレーム及び/又はシステムフレーム番号を得て、基地局により配置された複数グループのリソース位置（或いは、リソース位置及び対応する位置の干渉情報）におけるどのグループを採用するかを決定する。例えば、ＵＥ１がＤＬ＿Ｇｒａｎｔの集団レベルＬ=１であることを検出して、且つｎＣＣＥ，Ｏｆｆｓｅｔ=０/２/４、又はＬ=２且つｎＣＣＥ,ｏｆｆｓｅｔ=０/４/８、又はＬ=４且つｎＣＣＥ，ｏｆｆｓｅｔ=０、又はＬ=８且つｎＣＣＥ，ｏｆｆｓｅｔ=０、所在のサブフレームのサブフレーム番号は奇数サブフレーム又はシステムフレーム番号は奇数である場合、第１グループのリソース位置（或いは、リソース位置及び対応する位置の干渉情報）を選択し、ＵＥ１がＤＬ＿Ｇｒａｎｔの集団レベルＬ=１であると検出し、且つｎＣＣＥ，ｏｆｆｓｅｔ=０/２/４、又はＬ=２且つｎＣＣＥ，ｏｆｆｓｅｔ=０/４/８，はＬ=４且つｎＣＣＥ，ｏｆｆｓｅｔ=０、又はＬ=８且つｎＣＣＥ，ｏｆｆｓｅｔ=０、且つ所在のサブフレームのサブフレーム番号は偶数サブフレーム又はシステムフレーム番号は偶数である場合、第２グループのリソース位置（或いは、リソース位置及び対応する位置の干渉情報）を選択する。Ｌ=１、且つｎＣＣＥ，Ｏｆｆｓｅｔ=１/３/５、又はＬ=２且つｎＣＣＥ,ｏｆｆｓｅｔ=２/６/１０、又はＬ=４且つｎＣＣＥ，ｏｆｆｓｅｔ=４、又はＬ=８且つｎＣＣＥ，ｏｆｆｓｅｔ=８、所在のサブフレームのサブフレーム番号は奇数サブフレーム又はシステムフレーム番号は奇数である場合、第３グループのリソース位置（或いは、リソース位置及び対応する位置の干渉情報）を選択し、Ｌ=１、且つｎＣＣＥ，ｏｆｆｓｅｔ=１/３/５、又はＬ=２且つｎＣＣＥ，ｏｆｆｓｅｔ=２/６/１０，又はＬ=４且つｎＣＣＥ，ｏｆｆｓｅｔ=４、又はＬ=８且つｎＣＣＥ，ｏｆｆｓｅｔ=８、且つ所在のサブフレームのサブフレーム番号は偶数サブフレーム又はシステムフレーム番号は偶数である場合、第４グループのリソース位置（或いは、リソース位置及び対応する位置の干渉情報）を選択する。
【００８６】
なお、上記実施例１〜１３において、リソース位置（又はリソース位置及び対応する位置の干渉情報）は、１、複数のリソース要素をレートマッチング或いは干渉相殺すべき位置情報、２、ＣＲＳ配置情報、３、ＰＤＳＣＨ初期位置、４、該当するノードのＭＢＳＦＮサブフレーム配置情報、５、ゼロ電力ＣＳＩ−ＲＳ配置情報、６、非ゼロ電力ＣＳＩ−ＲＳ配置情報の中の一つを含む。上記６種類の詳しい状況について、すでに説明したので、ここでは繰り返して説明しない。
【００８７】
好適な実施例１４
表３を参照して、表３に示すように、各リソース指示パラメータ（即ちリソース指示情報）ごとは異なる高層配置の組み合わせを選択することができ、例えば、第一リソース位置及び/又は対応する位置の干渉情報が指示される場合、ＵＥがリソース位置情報１のリソース配置と対応する位置の干渉情報によりレートマッチング及び/又は干渉相殺を行い、第二リソース位置及び/又は対応する位置の干渉情報が指示される場合、ＵＥがリソース位置情報２のリソース配置と対応する位置の干渉情報によりレートマッチング及び/又は干渉相殺を行い、第３リソース位置及び/又は対応する位置の干渉情報が指示される場合、ＵＥがリソース位置情報３のリソース配置と対応する位置の干渉情報によりレートマッチング及び/又は干渉相殺を行い、第４リソース位置及び/又は対応する位置の干渉情報が指示される場合、ＵＥがリソース位置情報｛１、２｝のリソース配置と対応する位置の干渉情報によりレートマッチング及び/又は干渉相殺を行い、第５リソース位置及び/又は対応する位置の干渉情報が指示される場合、ＵＥがリソース位置情報｛１、３｝のリソース配置と対応する位置の干渉情報によりレートマッチング及び/又は干渉相殺を行い、第６リソース位置及び/又は対応する位置の干渉情報が指示される場合、ＵＥがリソース位置情報｛２、３｝のリソース配置と対応する位置の干渉情報によりレートマッチング及び/又は干渉相殺を行い、第７リソース位置及び/又は対応する位置の干渉情報が指示される場合、ＵＥがリソース位置情報｛１，２，３｝のリソース配置及び対応する位置の干渉情報によりレートマッチング及び/又は干渉相殺を行う。
【００８８】
実際の応用において、リソース配置と伝送モデルとの通知を連合させることができる。例えば、表３に示すように、異なるリソース位置及び対応する位置の干渉情報を配置することで、ＵＥに現在サブフレームの採用する伝送方法を通知することができる。また、各リソース情報Ｎ（Ｎ=１、２、３）は対応する実際ノードの情報で、当該ノードのＣＲＳ配置情報と、ＰＤＳＣＨ初期位置、対応するノードのＭＢＳＦＮサブフレーム配置情報、ゼロ電力ＣＳＩ−ＲＳ配置情報、及び非ゼロ電力ＣＳＩ−ＲＳ配置情報を含むことができる。
【００８９】
【表３】
0005977368.tif 000004
【００９０】
好適な実施例１５
ＵＥ１をＲ１１のユーザとして、基地局側が高層シグナリングを介しＵＥ１に複数グループのリソース位置（或いは、リソース位置及び対応する位置の干渉情報）を配置して、スケジューリングすべきＵＥ１の下りサービスのサブフレームにおけるＰＤＣＣＨ領域或いはＥＰＤＣＣＨ領域でＤＬ＿Ｇｒａｎｔ情報を送信し現在サブフレームにＵＥ１の下りデータがあることを指示して、ＵＥ１が当該サブフレームでブラインド検出をしてＤＬ＿Ｇｒａｎｔにおける指示情報を取得する。そして、ＵＥ１がブラインド検出によりＤＬ＿Ｇｒａｎｔ  ＤＣＩ  Ｆｏｒｍａｔ  ２Ｄにおける２ビットのプリセットビットを得て、基地局により配置された複数グループのリソース位置（或いは、リソース位置及び対応する位置の干渉情報）におけるどのグループを採用するかを決定する。例えば、ＵＥ１が盲検により得られたＤＬ＿Ｇｒａｎｔにおける２ビットプリセットビットが００である場合、一番目のリソース位置を選択し、ＵＥ１が盲検により得られたＤＬ＿Ｇｒａｎｔにおける２ビットプリセットビットが０１である場合、二番目のリソース位置を選択する。ＵＥ１が盲検により得られたＤＬ＿Ｇｒａｎｔにおける２ビットプリセットが１０である場合、三番目のリソース位置を選択する。ＵＥ１が盲検により得られたＤＬ＿Ｇｒａｎｔにおける２ビットプリセットが１１である場合、四番目のリソース位置を選択する。ＵＥは、リソース位置及び対応する位置の干渉情報を取得してから、レートマッチングを用い対応するリソース位置で下りデータを受信しない、或いは基地局が対応するリソース位置でＰＤＳＣＨをマッピングしないとする、もしくは基地局が対応する位置でＰＤＳＣＨをマッピングしないと端末により判断することができる。そして対応する位置でレートマッチングを行い、ＰＤＳＣＨを受信する。
【００９１】
実際の応用において、リソース位置は、物理下り共有チャネルＰＤＳＣＨの時間領域ＯＦＤＭシンボルの初期位置、リソース位置に対応するマルチキャストブロードキャスト単一周波数ネットワークＭＢＳＦＮサブフレーム配置情報、セル固有参照信号ＣＲＳの配置情報、ゼロパワーＣＳＩ−ＲＳ配置情報、非ゼロパワーＣＳＩ−ＲＳの配置情報、ゼロパワーＣＳＩ−ＲＳの周期とサブフレームバイアス配置、非ゼロパワーＣＳＩ−ＲＳの周期とサブフレームバイアス配置の中の少なくとも１つを含むことが好ましい。ゼロパワーＣＳＩ−ＲＳ配置情報は、ゼロパワーＣＳＩ−ＲＳのリソース位置、ゼロパワーＣＳＩ−ＲＳのリソース要素数、ゼロパワーＣＳＩ−ＲＳの周期及びサブフレームバイアスの少なくとも１つを含む。非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期及びサブフレームバイアスの少なくとも１つを含む。ＣＲＳ配置情報は、ＣＲＳのポート数、ＣＲＳの対応するセルアイデンティティ、ＣＲＳの送信パワーのいずれか１つを含む。その中、非ゼロパワーＣＳＩ−ＲＳ配置情報及びＣＲＳ配置情報は、さらに端末復調する時の時間周波数同期を指示することにも用いられる。
【００９２】
上記実施例に係わる下りデータ処理方法及び下りデータ処理指示方法によると、異なるノードのＣＲＳ、ＰＤＳＣＨ初期位置が整列しないこと、及びＣＳＩ−ＲＳがデータ復調性能に対する影響の問題が解決され、異なるノード間で一つのＵＥに対する協調送信（共同送信、共同スケジューリング、共同ビームフォーミング、動的ノード選択を含む）が実現され、リソースの無駄が減少し、制御ドメイン或いはパイロットのデータ復調に対する干渉が回避される効果を達成できる。
【００９３】
図３は本発明の実施例に係わるユーザ装置に位置する下りデータ処理装置の構造ブロック図であり、当該装置はユーザ装置（ＵＥ）に適用され、上記実施例に係わる下りデータ処理方法を実現することに用いられる。例えば、図３に示すように、当該装置は、主に受信モジュール１０、取得モジュール２０、選択モジュール３０、及び処理モジュール４０を含む。受信モジュール１０は、基地局により高層シグナリングを介し送信された基地局がユーザ装置（ＵＥ）に配置した複数グループのリソース指示情報を受信し、取得モジュール２０は受信モジュール１０に接続され、基地局から送信されたサブフレームを受信し、サブフレームにおける下り承認指示情報を取得し、選択モジュール３０は、取得モジュール２０に接続され、複数グループのリソース指示情報から下り承認指示情報に整合するリソース指示情報であって、干渉があるリソース位置を指示する、或いは、リソース位置に対応する干渉情報とリソース位置とを指示するリソース指示情報を選択して、処理モジュール４０は選択モジュール３０に接続され、リソース位置でＵＥに送信した下りデータに対して干渉処理を行う。
【００９４】
実際の応用において、下り承認指示情報は、アンテナポート指示情報、無効送信ブロックの新しいデータ指示情報、スクランブルシーケンス指示情報、下り承認制御情報の集団レベル、下り承認制御情報の初期制御チャネル手段（ＣＣＥ）の位置、プリセットしたビット少なくとも１つを含むことが好ましい。
【００９５】
図４は本発明の好適な実施例に係わるユーザ装置に位置する下りデータ処理装置の構造ブロック図であり、図４に示すように、取得モジュール２０は、サブフレームに対してブラインド検出をして、下り承認情報を解析する解析手段２２と、解析手段２２に接続され、下り承認情報指示の、ＵＥに対応する下りデータに対してブラインド検出をして下り承認指示情報を取得する取得手段２４とを含む。
【００９６】
本発明の一つの好適な実施形態において、リソース指示情報は、干渉があるリソース位置を指示する場合、処理モジュールがリソース位置で下りデータを受信することを禁止すること、或いは処理モジュールが、リソース位置に対応するリソースにて基地局がデータをマッピングしない（データをマッピングしないことは物理下り共有チャネルデータをマッピングしないことを含む）ことを承知する、或いは処理モジュールが、リソース位置に対応するリソースにて基地局がデータをマッピングしない（データをマッピングしないことは物理下り共有チャネルデータをマッピングしないことを含む）ことを承知してから、リソース位置でレートマッチングを行う。
【００９７】
実際の応用において、リソース位置は、物理下り共有チャネル（ＰＤＳＣＨ）の時間領域ＯＦＤＭシンボルの初期位置、リソース位置に対応するマルチキャストブロードキャスト単一周波数ネットワーク（ＭＢＳＦＮ）サブフレーム配置情報、セル固有参照信号（ＣＲＳ）配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含む。
【００９８】
本発明の一つの好適な実施形態において、リソース指示情報は、リソース位置に対応する干渉情報及びリソース位置を指示する場合、処理モジュールがリソース位置で下りデータを受信し、リソース位置に対応する干渉情報により、下りデータに対して干渉相殺を行う。
【００９９】
実際の応用において、リソース位置に対応する干渉情報及びリソース位置は、干渉相殺を行うべきリソース要素の位置情報、セル固有参照信号（ＣＲＳ）配置情報、ゼロパワーチャネル状態情報基準信号（ＣＳＩ−ＲＳ）配置情報、非ゼロパワーＣＳＩ−ＲＳの配置情報、物理下り共有チャネルＰＤＳＣＨ時間領域ＯＦＤＭシンボルの初期位置、リソース位置に対応するマルチキャストブロードキャスト単一周波数ネットワークＭＢＳＦＮサブフレーム配置情報の中の少なくとも１つを含む。
【０１００】
ＣＲＳ配置情報は、ＣＲＳのポート数、ＣＲＳに対応するセルアイデンティティ、ＣＲＳの送信パワーの少なくとも１つを含み、ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含むことが好ましい。
【０１０１】
図５は本発明の実施例に係わる基地局に位置する下りデータ処理指示装置の構造ブロック図であり、当該装置は基地局に位置し、上記実施例に係わる下りデータ処理指示方法を実現することに用いられる。例えば、図５に示すように、当該装置は、主に配置モジュール５０、送信モジュール６０、及び指示モジュール７０を含む。配置モジュール５０はユーザ専用高層シグナリングを介しユーザ装置（ＵＥ）に多種類のリソース指示情報を配置し、送信モジュール６０は配置モジュール５０に接続され、ＵＥに下り承認指示情報が含まれる下りサブフレームを送信し、指示モジュール７０は送信モジュール６０に接続され、ＵＥで複数グループのリソース指示情報から下り承認指示情報に整合するリソース指示情報であって、干渉があるリソース位置を指示する、或いは、リソース位置に対応する干渉情報とリソース位置とを指示するリソース指示情報を選択してから、ＵＥにリソース指示情報により下りデータに対して干渉処理をするように指示する。
【０１０２】
実際の応用において、リソース指示情報は、アンテナポート指示情報、無効送信ブロックの新しいデータ指示情報、スクランブルシーケンス指示情報、下り承認制御情報の集団レベル、下り承認制御情報の初期制御チャネル手段（ＣＣＥ）の位置、プリセットしたビット、下り承認制御情報のあるサブフレームのサブフレーム番号、下り承認制御情報のあるシステムフレームのシステムフレーム番号を指示する。
【０１０３】
図６は本発明の好適な実施例に係わる基地局に位置する下りデータ処理指示装置の構造ブロック図であり、図６に示すように、送信モジュール６０は、サブフレームの物理下り制御チャネル（ＰＤＣＣＨ）領域又は拡張物理下り制御チャネル（ＥＰＤＣＣＨ）領域には、サブフレームにＵＥに対応する下りデータがあることを指示する下り承認情報が携帯され、サブフレームをＵＥに送信する送信手段６２を含む。
【０１０４】
本発明の一つの好適な実施形態において、リソース位置は、物理下り共有チャネル（ＰＤＳＣＨ）の時間領域ＯＦＤＭシンボルの初期位置、リソース位置に対応するマルチキャストブロードキャスト単一周波数ネットワーク（ＭＢＳＦＮ）サブフレーム配置情報、セル固有参照信号（ＣＲＳ）配置情報、ゼロパワーＣＳＩ−ＲＳ配置情報、非ゼロパワーＣＳＩ−ＲＳ配置情報、ゼロパワーＣＳＩ−ＲＳの周期とサブフレームバイアス、非ゼロパワーＣＳＩ−ＲＳの周期とサブフレームバイアスの中の少なくとも１つを含む。
【０１０５】
本発明の一つの好適な実施形態において、リソース位置に対応する干渉情報及びリソース位置は、セル固有参照信号（ＣＲＳ）配置情報、ゼロパワーチャネル状態情報基準信号（ＣＳＩ−ＲＳ）配置情報、非ゼロパワーＣＳＩ−ＲＳの配置情報、物理下り共有チャネル（ＰＤＳＣＨ）時間領域ＯＦＤＭシンボルの初期位置、リソース位置に対応するマルチキャストブロードキャスト単一周波数ネットワーク（ＭＢＳＦＮ）サブフレーム配置情報の中の少なくとも１つを含む。
【０１０６】
実際の応用において、ＣＲＳ配置情報は、ＣＲＳのポート数、ＣＲＳに対応するセルアイデンティティ、ＣＲＳの送信パワーの少なくとも１つを含み、ゼロパワーＣＳＩ−ＲＳ配置情報は、ゼロパワーＣＳＩ−ＲＳのリソース位置、ゼロパワーＣＳＩ−ＲＳのリソース要素の数、ゼロパワーＣＳＩ−ＲＳの周期とサブフレームバイアスの少なくとも１つを含み、非ゼロパワーＣＳＩ−ＲＳ配置情報は、非ゼロパワーＣＳＩ−ＲＳのポート数、非ゼロパワーＣＳＩ−ＲＳのリソース位置、非ゼロパワーＣＳＩ−ＲＳの周期とサブフレームバイアスの少なくとも１つを含む。
【０１０７】
上記実施例に係わる下りデータ処理装置及び下りデータ処理指示装置によると、異なるノードのＣＲＳ、ＰＤＳＣＨ初期位置が整列しないこと、及びＣＳＩ−ＲＳがデータ復調性能に対する影響の問題が解決され、異なるノード間で一つのＵＥに対する協調送信（共同送信、共同スケジューリング、共同ビームフォーミング、動的ノード選択を含む）が実現され、リソースの無駄が減少し、制御ドメイン或いはパイロットのデータ復調に対する干渉が回避される効果を達成できる。
【０１０８】
以上の記載から明らかのように、本発明によると、ＵＥが受信したサブフレームにおける下り承認制御情報に基づき、ＵＥに送信した下りデータに対して干渉回避或いは干渉相殺を行うことで、異なるノードのＣＲＳ、ＰＤＳＣＨ初期位置が整列しないこと、及びＣＳＩ−ＲＳがデータ復調性能に対する影響の問題が解決され、異なるノード間で一つのＵＥに対する協調送信（共同送信、共同スケジューリング、共同ビームフォーミング、動的ノード選択を含む）が実現され、リソースの無駄が減少し、制御ドメイン或いはパイロットのデータ復調に対する干渉が回避される効果を達成できる。
【０１０９】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。このように、本発明は、いずれの特定のハードウェアとソフトウェアの組み合わせにも限定されない。
【０１１０】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
0005977368.tif 000005
【図２】
0005977368.tif 000006
【図３】
0005977368.tif 000007
【図４】
0005977368.tif 000008
【図５】
0005977368.tif 000009
【図６】
0005977368.tif 000010